(57)【特許請求の範囲】
【請求項１】
アクセスポイントから通信ビーコン信号を送信するための様々な電力レベルのセットを判断することと、
前記通信ビーコン信号を送信するための様々な時間期間のセットを判断することと、
複数の対応するカバレージエリアのために定義されたそれぞれのデューティサイクルを達成するために前記様々な時間期間で前記様々な電力レベルをマッチさせることと、
前記それぞれのデューティサイクルに基づいて前記様々な時間期間中に前記様々な電力レベルで前記通信ビーコン信号を送信することと、
を備え、前記電力レベルのうちの第１の電力レベルは、前記電力レベルのうちの第２の電力レベルよりも大きくなるように定義され、
前記第１の電力レベルに関連する前記時間期間のうちの第１の時間期間は、前記第２の電力レベルに関連する前記時間期間のうちの第２の時間期間より短くなるよう定義される、通信ビーコンを生成する方法。
【請求項２】
前記通信ビーコン信号を送信するためのキャリア周波数のセットを判断することと、
前記様々な時間期間中に前記様々な電力レベルで前記キャリア周波数のセットのうちの様々なキャリア周波数上で前記通信ビーコン信号を送信することと、
をさらに備える、請求項１に記載の方法。
【請求項３】
前記電力レベルのセットのうちの様々な電力レベルが前記キャリア周波数のセットのうちの様々なキャリア周波数に割り当てられる、
請求項２に記載の方法。
【請求項４】
前記様々なキャリア周波数上の他のアクセスポイントからの信号の信号強度の様々なレベルを判断することをさらに備え、前記様々な電力レベルの前記判断は、判断された信号強度の前記様々なレベルに基づいて前記電力レベルを定義することを備える、
請求項３に記載の方法。
【請求項５】
前記時間期間のセットのうちの様々な時間期間は、前記キャリア周波数のセットのうちの様々なキャリア周波数に割り当てられる、
請求項３に記載の方法。
【請求項６】
前記様々な電力レベルと前記様々な時間期間の前記判断は、マクロアクセスポイントキャリア周波数上の少なくとも１つの判断された許容できる干渉レベルと、前記アクセスポイントによる送信のための少なくとも１つの判断された許容できるカバレージエリアとに基づいて、前記様々な電力レベルと前記様々な時間期間とを定義することを備える、
請求項１に記載の方法。
【請求項７】
前記アクセスポイントがフェムトアクセスポイントを備える、
請求項１に記載の方法。
【請求項８】
前記通信ビーコン信号の前記送信は、前記アクセスポイント上にアクティブな呼がないと判断したときに、前記アクセスポイントに関連するフェムトチャネル上で前記様々な電力レベルでビーコンを送信すること備える、
請求項１に記載の方法。
【請求項９】
前記通信ビーコン信号の前記送信は、前記アクセスポイント上にアクティブな呼がないと判断したときに、前記アクセスポイントに関連するフェムトチャネル上および少なくとも１つの他のチャネル上で周波数ホッピング方法でビーコンを送信すること備える、
請求項１に記載の方法。
【請求項１０】
少なくとも１つのアクセス端末の少なくとも１つの既知の起動時間に同期された前記通信ビーコン信号の前記送信をスケジュールすることをさらに備える、
請求項１に記載の方法。
【請求項１１】
別のアクセスポイントの通信送信時間およびキャリア周波数を判断することと、
前記判断された通信送信時間およびキャリア周波数との競合を緩和するために前記通信ビーコン信号の前記送信をスケジュールすることと、
をさらに備える、請求項１に記載の方法。
【請求項１２】
別のアクセスポイントの送信に対する干渉を緩和するために、様々な周波数上で様々な時間に前記通信ビーコン信号の前記送信をランダムにスケジュールすることをさらに備える、
請求項１に記載の方法。
【請求項１３】
前記通信ビーコン信号は、少なくとも１つの共通オーバーヘッドチャネルを備える、
請求項１に記載の方法。
【請求項１４】
前記通信ビーコン信号は、パイロットチャネル、ページングチャネル、ブロードキャストチャネル、および同期チャネルからなるグループのうちの少なくとも１つを備える、
請求項１に記載の方法。
【請求項１５】
アクセスポイントから通信ビーコン信号を送信するための様々な電力レベルのセットを判断するように構成され、前記通信ビーコン信号を送信するための様々な時間期間のセットを判断するように構成され、複数の対応するカバレージエリアのために定義されたそれぞれのデューティサイクルを達成するために前記様々な時間期間で前記様々な電力レベルをマッチさせるように構成されたビーコンコントローラと、
前記それぞれのデューティサイクルに基づいて前記様々な時間期間中に前記様々な電力レベルで前記通信ビーコン信号を送信するように構成された送信機と、
を備え、前記電力レベルのうちの第１の電力レベルは、前記電力レベルのうちの第２の電力レベルよりも大きくなるように定義され、
前記第１の電力レベルに関連する前記時間期間のうちの第１の時間期間は、前記第２の電力レベルに関連する前記時間期間のうちの第２の時間期間より短くなるよう定義される、通信ビーコンを生成するための装置。
【請求項１６】
前記ビーコンコントローラは、前記通信ビーコン信号を送信するためのキャリア周波数のセットを判断するようにさらに構成され、
前記送信機は、前記様々な時間期間中に前記様々な電力レベルで前記キャリア周波数のセットのうちの様々なキャリア周波数上で前記通信ビーコン信号を送信するようにさらに構成された、
請求項１５に記載の装置。
【請求項１７】
前記電力レベルのセットのうちの様々な電力レベルが前記キャリア周波数のセットのうちの様々なキャリア周波数に割り当てられる、
請求項１６に記載の装置。
【請求項１８】
前記様々なキャリア周波数上の他のアクセスポイントからの信号の信号強度の様々なレベルを判断するように構成されたモニタをさらに備え、前記様々な電力レベルの前記判断は、判断された信号強度の前記様々なレベルに基づいて前記電力レベルを定義することを備える、
請求項１７に記載の装置。
【請求項１９】
時間期間の前記セットのうちの様々な時間期間がキャリア周波数の前記セットのうちの様々なキャリア周波数に割り当てられる、請求項１７に記載の装置。
【請求項２０】
前記様々な電力レベルと前記様々な時間期間の前記判断は、マクロアクセスポイントキャリア周波数上の少なくとも１つの判断された許容できる干渉レベルと、前記アクセスポイントによる送信のための少なくとも１つの判断された許容できるカバレージエリアとに基づいて、前記様々な電力レベルと前記様々な時間期間とを定義することを備える、
請求項１５に記載の装置。
【請求項２１】
前記通信ビーコン信号の前記送信は、前記アクセスポイント上にアクティブな呼がないと判断したときに、前記アクセスポイントに関連するフェムトチャネル上および少なくとも１つの他のチャネル上で周波数ホッピング方法でビーコンを送信すること備える、
請求項１５に記載の装置。
【請求項２２】
前記通信ビーコン信号は、少なくとも１つの共通オーバーヘッドチャネルを備える、
請求項１５に記載の装置。
【請求項２３】
前記通信ビーコン信号は、パイロットチャネル、ページングチャネル、ブロードキャストチャネル、および同期チャネルからなるグループのうちの少なくとも１つを備える、
請求項１５に記載の装置。
【請求項２４】
アクセスポイントから通信ビーコン信号を送信するための様々な電力レベルのセットを判断するための手段と、
前記通信ビーコン信号を送信するための様々な時間期間のセットを判断するための手段と、
複数の対応するカバレージエリアのために定義されたそれぞれのデューティサイクルを達成するために前記様々な時間期間で前記様々な電力レベルをマッチさせることと、
前記それぞれのデューティサイクルに基づいて前記様々な時間期間中に前記様々な電力レベルで前記通信ビーコン信号を送信するための手段と、
を備え、前記電力レベルのうちの第１の電力レベルは、前記電力レベルのうちの第２の電力レベルよりも大きくなるように定義され、
前記第１の電力レベルに関連する前記時間期間のうちの第１の時間期間は、前記第２の電力レベルに関連する前記時間期間のうちの第２の時間期間より短くなるよう定義され
る、通信ビーコンを生成するための装置。
【請求項２５】
前記通信ビーコン信号を送信するためのキャリア周波数のセットを判断するための手段をさらに備え、前記送信するための手段は、前記様々な時間期間中に前記様々な電力レベルで前記キャリア周波数のセットのうちの様々なキャリア周波数上で前記通信ビーコン信号を送信するように構成された、
請求項２４に記載の装置。
【請求項２６】
前記電力レベルのセットのうちの様々な電力レベルは、前記キャリア周波数のセットのうちの様々なキャリア周波数に割り当てられる、
請求項２５に記載の装置。
【請求項２７】
前記様々なキャリア周波数上の他のアクセスポイントからの信号の信号強度の様々なレベルを判断するための手段をさらに備え、前記様々な電力レベルの前記判断が、判断された信号強度の前記様々なレベルに基づいて前記電力レベルを定義することを備える、
請求項２６に記載の装置。
【請求項２８】
前記時間期間のセットのうちの様々な時間期間は、前記キャリア周波数のセットのうちの様々なキャリア周波数に割り当てられる、
請求項２６に記載の装置。
【請求項２９】
前記様々な電力レベルと前記様々な時間期間との前記判断は、マクロアクセスポイントキャリア周波数上の少なくとも１つの判断された許容できる干渉レベルと、前記アクセスポイントによる送信のための少なくとも１つの判断された許容できるカバレージエリアとに基づいて、前記様々な電力レベルと前記様々な時間期間とを定義することを備える、
請求項２４に記載の装置。
【請求項３０】
前記通信ビーコン信号の前記送信は、前記アクセスポイント上にアクティブな呼がないと判断したときに、前記アクセスポイントに関連するフェムトチャネル上および少なくとも１つの他のチャネル上で周波数ホッピング方法でビーコンを送信すること備える、
請求項２４に記載の装置。
【請求項３１】
前記通信ビーコン信号は、少なくとも１つの共通オーバーヘッドチャネルを備える、
請求項２４に記載の装置。
【請求項３２】
前記通信ビーコン信号は、パイロットチャネル、ページングチャネル、ブロードキャストチャネル、および同期チャネルからなるグループのうちの少なくとも１つを備える、
請求項２４に記載の装置。
【請求項３３】
アクセスポイントから通信ビーコン信号を送信するための様々な電力レベルのセットを判断することと、
前記通信ビーコン信号を送信するための様々な時間期間のセットを判断することと、
複数の対応するカバレージエリアのために定義されたそれぞれのデューティサイクルを達成するために前記様々な時間期間で前記様々な電力レベルをマッチさせることと、
前記それぞれのデューティサイクルに基づいて前記様々な時間期間中に前記様々な電力レベルで前記通信ビーコン信号を送信することと、
をコンピュータに行わせるためのコードを備え、前記電力レベルのうちの第１の電力レベルは、前記電力レベルのうちの第２の電力レベルよりも大きくなるように定義され、
前記第１の電力レベルに関連する前記時間期間のうちの第１の時間期間は、前記第２の電力レベルに関連する前記時間期間のうちの第２の時間期間より短くなるよう定義される
コンピュータプログラム。
【請求項３４】
前記コンピュータに、
前記通信ビーコン信号を送信するためのキャリア周波数のセットを判断することと、
前記様々な時間期間中に前記様々な電力レベルでキャリア周波数の前記セットのうちの様々なキャリア周波数上で前記通信ビーコン信号を送信することと、
をさらに行わせる、請求項３３に記載のコンピュータプログラム。
【請求項３５】
電力レベルの前記セットのうちの様々な電力レベルは、キャリア周波数の前記セットのうちの様々なキャリア周波数に割り当てられる、
請求項３４に記載のコンピュータプログラム。
【請求項３６】
前記コンピュータに、前記様々なキャリア周波数上の他のアクセスポイントからの信号の信号強度の様々なレベルを判断させるためのコードをさらに備え、
前記様々な電力レベルの前記判断は、前記判断された信号強度の様々なレベルに基づいて前記電力レベルを定義することを備える、
請求項３５に記載のコンピュータプログラム。
【請求項３７】
前記時間期間のセットのうちの様々な時間期間は、前記キャリア周波数のセットのうちの様々なキャリア周波数に割り当てられる、
請求項３５に記載のコンピュータプログラム。
【請求項３８】
前記様々な電力レベルと前記様々な時間期間の前記判断は、マクロアクセスポイントキャリア周波数上の少なくとも１つの判断された許容できる干渉レベルと、前記アクセスポイントによる送信のための少なくとも１つの判断された許容できるカバレージエリアとに基づいて、前記様々な電力レベルと前記様々な時間期間とを定義することを備える、
請求項３３に記載のコンピュータプログラム。
【請求項３９】
前記通信ビーコン信号の前記送信は、前記アクセスポイント上にアクティブな呼がないと判断したときに、前記アクセスポイントに関連するフェムトチャネル上および少なくとも１つの他のチャネル上で周波数ホッピング方法でビーコンを送信すること備える、
請求項３３に記載のコンピュータプログラム。
【請求項４０】
前記通信ビーコン信号は、少なくとも１つの共通オーバーヘッドチャネルを備える、
請求項３３に記載のコンピュータプログラム。
【請求項４１】
前記通信ビーコン信号は、パイロットチャネル、ページングチャネル、ブロードキャストチャネル、および同期チャネルからなるグループのうちの少なくとも１つを備える、
請求項３３に記載のコンピュータプログラム。
【発明の詳細な説明】
【関連出願】
【０００１】
本出願は、その開示が参照により本明細書に組み込まれる、２００８年８月２０日に出願され、代理人整理番号第０８２４７０Ｐ１を付与された、同一出願人が所有する米国特許仮出願第６１／０９０，５４８号の利益および優先権を主張する。
【技術分野】
【０００２】
本出願は、一般にワイヤレス通信に関し、より詳細には、限定はしないが、通信ビーコンを生成することに関する。
【背景技術】
【０００３】
ワイヤレス通信システムは、様々なタイプの通信を複数のユーザに提供するために広く展開されている。たとえば、ボイス、データ、マルチメディアサービスなどをユーザのアクセス端末（たとえば、セルフォン）に提供することができる。高速なマルチメディアデータサービスの需要が急速に増大するにつれて、向上したパフォーマンスをもつ効率的でロバストな通信システムを実装することが課題となっている。
【０００４】
従来の携帯電話ネットワークアクセスポイント（たとえば、マクロ基地局）を補うために、小カバレージアクセスポイントを展開して、よりロバストな屋内ワイヤレスカバレージをアクセス端末に与えることができる。そのような小カバレージアクセスポイントは、アクセスポイント基地局、Ｈｏｍｅ  ＮｏｄｅＢ、Ｈｏｍｅ  ｅＮｏｄｅＢ、フェムトアクセスポイント、またはフェムトセルとして一般に知られている。一般に、（たとえば、ユーザの家庭に設置された）そのような小カバレージアクセスポイントは、ＤＳＬルータまたはケーブルモデムを介してインターネットおよびモバイル事業者のネットワークに接続される。
【０００５】
アイドルモードである（たとえば、マクロアクセスポイント上にキャンプしている）アクセス端末が小カバレージアクセスポイントに接近したとき、アクセス端末がそこで提供されるサービスにアクセスすることができるように、アクセス端末を小カバレージアクセスポイントにハンドオーバすることが望ましい。この目的で、アクセス端末がいつ小カバレージアクセスポイントの近傍にあるかを判断することができるように、小カバレージアクセスポイントはビーコンを送信することができる。しかしながら、実際問題として、これらのビーコン信号は、小カバレージアクセスポイントにハンドオーバできない他の近くのアクセス端末における受信を妨害することがある。たとえば、そのようなアクセス端末がマクロアクセスポイントとのアクティブボイス呼中であるとき、アクセス端末は、小カバレージアクセスポイントが展開された建築物のそばを通る場合、小カバレージアクセスポイントからの干渉によって影響を受けることがある。ビーコンのための送信電力を低減することにより、この干渉を低減することができるが、送信電力のそのような低減はまた、ビーコンに関連するカバレージエリアを小さくすることになる。これは、アクセス端末が小カバレージアクセスポイントの存在を発見するのを妨げることがある。
【発明の概要】
【０００６】
本開示の例示的な態様の概要について以下で説明する。本明細書における態様という用語への言及は、本開示の１つまたは複数の態様を指すことがあることを理解されたい。
【０００７】
本開示は、いくつかの態様では、アクセスポイントにおいてビーコンを生成することに関する。たとえば、フェムトアクセスポイントは、ビーコンに関連するカバレージエリアと、マクロアクセスポイントによってサービスされる近くのアクセス端末において経験される停止との間の許容できるトレードオフを与える方法でビーコンを生成することができる。
【０００８】
本開示は、いくつかの態様では、ビーコンが様々な時間に様々な電力レベルで送信される階層化ビーコン方式に関する。たとえば、フェムトアクセスポイントは、マクロアクセスポイントによってサービスされている近くのアクセス端末における干渉を低減するために、比較的長い時間期間の間、比較的低い電力でビーコンを送信する。フェムトアクセスポイントは、次いで、近くのアクセス端末がビーコンを受信することができるように、比較的短い時間期間の間、比較的高い電力でビーコンを送信する。このようにして、フェムトアクセスポイントにハンドオーバされることを望むアクセス端末が、フェムトアクセスポイントを発見するためのより良い機会を与えられるように、より大きいカバレージエリアが一時的に与えられる。ここで、高電力の期間は比較的短いので、フェムトアクセスポイントの到達可能性と近くのアクセス端末に対する干渉との間の許容できるトレードオフを行うことができる。したがって、開示する方式は、たとえば、ビーコンを送信するために固定電力を使用し、それによって（たとえば、許容できないほど高いことがある）固定干渉レベルと（たとえば、固定または他のアクセスポイントがフェムトアクセスポイントを発見するのを妨げることがある）固定カバレージレベルとを生じる従来の方式に比較して、ビーコンを生成するためのより効果的な機構を提供することができる。
【０００９】
いくつかの態様では、有利には、この方式を周波数ホッピングとともに採用することができる。たとえば、所与の送信チェーンを使用して、様々なキャリア上で高電力ビーコンと低電力ビーコンの両方を送信することができる。
【図面の簡単な説明】
【００１０】
本開示のこれらおよび他の例示的な態様について、以下の詳細な説明および添付の特許請求の範囲、ならびに添付の図面において説明する。
【図１】階層化ビーコンを与えるように構成されたアクセスポイントを備える通信システムのいくつかの例示的な態様の簡略ブロック図。
【図２】階層化ビーコンを与えるために実行される動作のいくつかの例示的な態様のフローチャート。
【図３】階層化カバレージビーコンスケジュールに基づく例示的なビーコン送信の簡略図。
【図４】通信ノードにおいて採用されるコンポーネントのいくつかの例示的な態様の簡略ブロック図。
【図５】様々なキャリアのための電力レベルと時間期間とを判断するために実行される動作のいくつかの例示的な態様のフローチャート。
【図６】ビーコンの送信をスケジュールするときに実行される動作のいくつかの例示的な態様のフローチャート。
【図７】フェムトチャネル上にアクティブな呼がない場合に実行される動作のいくつかの例示的な態様のフローチャート。
【図８】他のアクセスポイントの送信に対する干渉を緩和するために実行される動作のいくつかの例示的な態様のフローチャート。
【図９Ａ】例示的なビーコン送信継続時間の簡略図。
【図９Ｂ】別の例示的なビーコン送信継続時間の簡略図。
【図１０】例示的なビーコン周波数ホッピングの簡略図。
【図１１Ａ】ビーコン送信継続時間とキャリアの量との様々な組合せに対する例示的な検出遅延およびサービス停止を示す簡略表。
【図１１Ｂ】高速ページングが採用された場合のビーコン送信継続時間とキャリアの量との様々な組合せに対する例示的な検出遅延およびサービス停止を示す簡略表。
【図１２】ビーコン送信のための電力レベルと時間期間とを判断するために実行される動作のいくつかの例示的な態様のフローチャート。
【図１３】階層化カバレージに基づく例示的なビーコン送信の簡略図。
【図１４】連続するスロットサイクル中の例示的なビーコンスロットカバレージを示す簡略図。
【図１５】ワイヤレス通信システムの簡略図。
【図１６】フェムトノードを含むワイヤレス通信システムの簡略図。
【図１７】ワイヤレス通信のためのカバレージエリアを示す簡略図。
【図１８】通信コンポーネントのいくつかの例示的な態様の簡略ブロック図。
【図１９】本明細書で教示する、ビーコンを与えるように構成された装置のいくつかの例示的な態様の簡略ブロック図。
【００１１】
慣例により、図面中に示された様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法のコンポーネントのすべてを示しているわけではない。最後に、明細書および図の全体にわたって同じ特徴を示すために同じ参照番号が使用されることがある。
【発明を実施するための形態】
【００１２】
本開示の様々な態様について以下で説明する。本明細書の教示は多種多様な形態で実施でき、本明細書で開示されている特定の構造、機能、またはその両方は代表的なものにすぎないことは明らかであろう。本明細書の教示に基づいて、本明細書で開示される態様は他の態様とは独立に実装できること、およびこれらの態様のうちの２つ以上を様々な方法で組み合わせることができることを、当業者なら諒解されたい。たとえば、本明細書に記載の態様をいくつ使用しても、装置を実現し、または方法を実施することができる。さらに、本明細書に記載の態様のうちの１つまたは複数に加えて、あるいはそれら以外の他の構造、機能、または構造および機能を使用して、そのような装置を実現し、またはそのような方法を実施することができる。さらに、態様は、請求項の少なくとも１つの要素を備えることができる。
【００１３】
図１に、例示的な通信システム１００（たとえば、通信ネットワークの一部）のいくつかのノードを示す。説明のために、本開示の様々な態様について、互いに通信する１つまたは複数のアクセス端末、アクセスポイント、およびネットワークノードの文脈で説明する。ただし、本明細書の教示は、他のタイプの装置、または他の用語を使用して参照される他の同様の装置に適用可能であることを諒解されたい。たとえば、様々な実装形態では、アクセスポイントを基地局、ｅＮｏｄｅＢなどと呼ぶことまたは基地局、ｅＮｏｄｅＢなどとして実装することが可能であり、アクセス端末をユーザ機器、移動局などと呼ぶことまたはユーザ機器、移動局などとして実装することが可能である。
【００１４】
システム１００中のアクセスポイントは、１つまたは複数のサービス（たとえば、ネットワーク接続性）を、システム１００のカバレージエリア内に設置されるか、またはシステム１００のカバレージエリア全体にわたってローミングする１つまたは複数のワイヤレスアクセス端末に提供する。たとえば、様々な時点で、アクセス端末１０２はアクセスポイント１０４（たとえば、マクロアクセスポイント）に接続することができ、アクセス端末１０６は、アクセスポイント１０４あるいはアクセスポイント１０８または１１０（たとえば、フェムトアクセスポイント）に接続することができる。アクセスポイント１０４、１０８、および１１０の各々は、ワイドエリアネットワーク接続性を可能にするために、（便宜上、ネットワークノード１１２によって表される）１つまたは複数のネットワークノードと通信することができる。そのようなネットワークノードは、たとえば、１つまたは複数の無線および／またはコアネットワークエンティティなどの様々な形態をとることができる。したがって、様々な実装形態では、ネットワークノード１１２は、構成マネージャ、モビリティ管理エンティティ、または何らかの他の好適なネットワークエンティティを備えることができる。
【００１５】
本明細書の教示によれば、システム１００中の１つまたは複数のアクセスポイントは、通信ビーコン信号が（たとえば、定義されたデューティサイクルに基づいて）様々な時間に様々な電力レベルで送信される階層化ビーコンカバレージ方式を実装することができる。破線１１４および１１６は、そのような方式でのカバレージの例示的なレイヤを簡略化した形で示す。ここで、破線１１４によって表されるより小さいエリアカバレージは、より低い送信電力が使用される時間期間に対応し、破線１１６によって表されるより大きいエリアカバレージは、より高い送信電力が使用される時間期間に対応する。送信電力および関連する時間期間を適切に定義することによって、この階層化ビーコンカバレージ方式を採用して、他のアクセス端末が通信ビーコン信号を捕捉しようと試みるとき、許容できない遅延量を付与することなしに、いくつかの近くのアクセス端末において通信ビーコン信号によって引き起こされる干渉の強度および継続時間を低減することができる。ここで、遅延を許容できる範囲内に保つことによって、これらの他のアクセス端末は、依然として、これらの信号を送信するアクセスポイントへの比較的速いハンドオーバを達成することができる。
【００１６】
通信ビーコン信号は、様々な実装形態において様々な形態をとることができる。典型的な実装形態では、通信ビーコン信号は、（たとえば、専用チャネルの反対の）少なくとも１つの共通オーバーヘッドチャネルを備える。たとえば、共通オーバーヘッドチャネルは、パイロットチャネル、ページングチャネル、ブロードキャストチャネル、同期チャネル、またはこれらのチャネルの任意の組合せからなることができる。特定の例として、（たとえば、１ｘＲＴＴの）ＣＤＭＡ２０００システムでは、これらのチャネルは、順方向リンクパイロットチャネル（Ｆ−ＰＩＣＨ）、順方向リンクページングチャネル（ＦＰＣＨ）、順方向リンクブロードキャストチャネル（Ｆ−ＢＣＣＨ）、順方向リンク同期チャネル（Ｆ−ＳＹＮＣ）、またはこれらのチャネルの任意の組合せを備えることができる。便宜のために、以下の説明では、通信ビーコン信号を単にビーコンと呼ぶことがある。
【００１７】
アイドルモード中のアクセス端末がアクセスポイント１０８に近接したとき、アクセス端末は、アクセスポイント１０８に対するアクセス端末の相対近接度に応じて高電力ビーコンおよび／または低電力ビーコンを受信することができる。たとえば、アクセス端末がアクセスポイント１０８に極めて近接したとき、アクセス端末は、低電力ならびに高電力で送信されたビーコンを検出することができる。したがって、アクセス端末は、この場合、比較的迅速にビーコンを捕捉することができる。一方、アクセスポイント１０８のカバレージのエッジにあるアクセス端末（たとえば、アクセス端末１０６）は、低電力ビーコンを検出することはできないが、高電力ビーコンを検出することができる。したがって、このアクセス端末は、依然としてビーコンを捕捉することができるが、より大きい遅延を伴う。
【００１８】
次に、システム１００の例示的な動作について、図２のフローチャートおよび図３の図に関してより詳細に説明する。便宜上、図２の動作（または、本明細書で説明または教示する他の動作）については、特定のコンポーネント（たとえば、システム１００または図４のコンポーネント）によって実行されるものとして説明することがある。ただし、これらの動作は、他のタイプのコンポーネントによって実行でき、異なる個数のコンポーネントを使用して実行できることを諒解されたい。また、本明細書で説明する動作の１つまたは複数は、所与の実装形態では採用されない場合があることを諒解されたい。
【００１９】
図２のブロック２０２で表されるように、アクセスポイント１０８は、アクセスポイント１０８によって送信されるビーコンに関連するカバレージエリアとマクロアクセスポイント（たとえば、アクセスポイント１０４）によってサービスされる近くのアクセス端末（たとえば、アクセス端末１０２）において経験される停止との間の許容できるトレードオフを与える方法でビーコンスケジュールを判断する。この目的で、アクセスポイント１０８は、ビーコンを送信するために使用すべき電力レベルと、様々な電力レベルが使用される時間期間と、ビーコンが送信されるキャリア（すなわち、キャリア周波数）とを判断することができる。たとえば、アクセスポイント１０８は、階層化カバレージを与えるために使用すべき電力レベルのセット（たとえば、低レベルおよび高レベル）を判断することができる。さらに、アクセスポイント１０８は、様々な電力レベルに関連する時間期間のセット（たとえば、デューティサイクル情報）を判断することができる。また、アクセスポイント１０８は、ビーコンが送信される指定されたキャリアのセットを判断することができる。
【００２０】
様々な実装形態では、これらのパラメータをアクセスポイント１０８によって定義するか、またはこれらのパラメータをアクセスポイント１０８に与えることができる。前者の場合の一例として、これらのパラメータのうちの１つまたは複数は、アクセスポイント１０８において検出された信号（たとえば、様々な周波数上の隣接アクセスポイントの信号強度）に基づいて定義できる。後者の場合の一例として、これらのパラメータのうちの１つまたは複数は、（たとえば、ネットワーク事業者によってアクセスポイント１０８に与えられた）ネットワーク計画によって定義でき、アクセスポイント１０８のデータメモリにダウンロードできる。したがって、様々な実装形態では、ブロック２０２の判断は、パラメータ値を定義（たとえば、計算）すること、データメモリからパラメータ値を読み取ること、または何らかの他の好適な動作を実行することを含むことができる。これらの動作の例について以下でより詳細に説明する。
【００２１】
図２のブロック２０４で表されるように、アクセスポイント１０８は、ブロック２０２において判断されたスケジュールに基づいてビーコンを送信する。たとえば、アクセスポイント１０８は、スケジュールによって指定された電力レベルで、スケジュールによって指定された時間に、スケジュールによって指定されたキャリア上でビーコンを送信することができる。
【００２２】
図３に、階層化カバレージスケジュールに基づくビーコン送信の簡略化された例を示す。図の上部の影付きボックスおよび図の下部の矢線によって示されるように、ビーコンは、ある時間期間の間、高い電力レベルで送信され、次いで、ある時間期間の間、より低い電力レベルで送信され、次いで、より高い電力レベルで送信されるなどである。
【００２３】
この例では、ビーコンは様々なキャリア間で周波数ホッピングされる。たとえば、（たとえば、様々なキャリア周波数に対応する）複数のチャネルが事業者にとって利用可能であるとき、フェムトアクセスポイントと、フェムトアクセスポイントに接近する（たとえば、前にマクロアクセスポイントによってサービスされていた）アクセス端末とが、異なるキャリア上で動作していることがある。たとえば、１ｘＲＴＴでは、アクセス端末は、様々なキャリアに対して擬似ランダムにハッシュすることができる。したがって、フェムトカバレージエリア中のアクセス端末によるフェムトアクセスポイントの確実な検出を可能にするために、フェムトアクセスポイントは、これらの様々なキャリア上でビーコンを送信する。しかしながら、フェムトアクセスポイントは、限られた数の送信チェーンを有するので、一度に限られた数のキャリア上でビーコンを送信することのみが可能である。したがって、様々なキャリア上で、定義されたデューティサイクルでビーコンを送信するために、周波数ホッピングを採用することができる。
【００２４】
上記の一例として、アクセスポイント１０８はキャリアＦ３（たとえば、いわゆるフェムトチャネル、図３に図示せず）上でサービスを提供することができる。しかしながら、近傍中のマクロアクセスポイントは、キャリアＦ１およびＦ２に対応する２つのマクロチャネル上で動作していることがある。したがって、これらのマクロアクセスポイントのうちの１つによって現在サービスされているアクセス端末がアクセスポイント１０８の存在を検出することを可能にするために、アクセスポイント１０８は、２つのキャリアＦ１およびＦ２上でビーコンを周波数ホッピングする。
【００２５】
上記の例では、アクセスポイント１０８は、アクセスポイント１０８が２つの無線周波数（ＲＦ）信号を同時に送信することができる、（たとえば、２つのＲＦ送信機を備える）２つのＲＦ送信チェーンを有することができる。したがって、送信チェーンの一方はフェムトチャネルのために使用され、他方の送信チェーンは、２つのマクロチャネル上でビーコンを送信するためにタイムシェアリングされる。図３の影付きボックスで示すように、第１の高電力時間期間中に、高電力ビーコンバーストがキャリアＦ１上で送信され、次いで、高電力ビーコンバーストはキャリアＦ２上で送信される。次に、第１の低電力時間期間中に、低電力ビーコン送信がキャリアＦ１およびＦ２上で交互に送信される。後続の高電力時間期間中に、高電力ビーコンバーストはキャリアＦ１およびＦ２上で再び送信されるなどである。異なる数のマクロチャネルおよび／または異なる数の送信チェーンが様々な実装形態において使用できることを諒解されたい。
【００２６】
図３はまた、ビーコンがいわゆるスロットサイクル中に送信される例を示す。たとえば、各々が（たとえば、継続時間８０ミリ秒の）一連のタイムスロットを備える（たとえば、継続時間５．１２秒の）一連のスロットサイクルを定義し、それにより、アイドルモードで動作する様々なアクセス端末を、そのアクセス端末に関係のある送信があるかどうかを判断するために、各サイクルの様々な指定されたスロット中に起動するように構成することができる。このようにして、アクセス端末は、大部分の時間、アイドルモード（たとえば、低電力スリープモード）のままであり、アクセス端末がその指定されたスロット中に、関係のある送信（たとえば、ページ）を検出した場合のみ（たとえば、より高い電力アクティブモードに）起動することによって、電力を節約することができる。
【００２７】
そのような方式では、ある時間期間にわたって、アクセスポイント１０８は、（スロットのいずれか１つを割り当てられた）近傍中のすべてのアクセス端末が少なくとも１つのビーコンを受信することができるように、各スロット中にビーコンを送信する。たとえば、図３に示すように、低電力ビーコンは、スロットサイクル１〜３中のスロットサイクルのあらゆる部分中で少なくとも１回送信できる。したがって、アクセスポイント１０８に極めて近接したアクセス端末は、そのアクセス端末に割り当てられた特定のスロットにかかわらず、スロットサイクル１〜３の時間期間中に少なくとも１つのビーコンを受信するはずである。
【００２８】
逆に、高電力ビーコンは、これらのビーコンに対して定義されたより低いデューティサイクルのために、スロットサイクル１〜３中のあらゆるスロット中に生じているわけではないということがわかる。しかしながら、図３に示すように、高電力ビーコンは、各連続する送信中に様々なスロットをカバーすることができる。言い換えれば、連続する高電力バーストごとに、バーストのタイミングがスロットサイクルの開始に対して変化する。したがって、より長い時間期間にわたって、高電力ビーコンも、スロットサイクルのあらゆる部分中で少なくとも１回送信されることになる。したがって、アクセスポイント１０８からはるかに離れたアクセス端末（たとえば、低電力ビーコンを受信しないアクセス端末１０６）は、このより長い時間期間中に少なくとも１つのビーコンを受信することができる。
【００２９】
アクセス端末は、所与のキャリア上でアクセスポイント１０８からビーコンを受信すると、アクセスポイント１０８からの他のメッセージについてそのキャリアをモニタすることができる。たとえば、アクセス端末は、アクセス端末がどのようにフェムトチャネルにリダイレクトされるかを示す情報を与えるメッセージを受信することができる。そのようなメッセージの例には、ＣＤＭＡチャネルリストメッセージ（ＣＣＬＭ）、グローバルサービスリダイレクションメッセージ（ＧＳＲＤＭ）、およびサービスリダイレクションメッセージ（ＳＲＤＭ）がある。
【００３０】
上記の階層化カバレージ方式は、他のノードにおける干渉を低減しながら、有効ビーコンカバレージを与えることができる。たとえば、低電力時間期間中に、アクセスポイント１０８に比較的近接しないアクセス端末は、これらのビーコンを受信することができない。すなわち、これらのビーコンの対応する受信信号強度は、これらのアクセス端末において比較的重要ではない。したがって、大部分の時間、これらのビーコン送信は、マクロアクセスポイントと通信しているどのアクセス端末（たとえば、アクセス端末１０２）においても受信を著しく妨害しないことがわかる。逆に、高電力ビーコン送信は、これらのアクセス端末における受信を妨害することがあるが、この干渉の継続時間は比較的短い。本開示のこれらおよび他の態様について、以下の図４〜図１４の説明においてより詳細に論じる。
【００３１】
図４に、本明細書で教示するビーコン生成動作を実行するためにアクセスポイント１０８などのノードに組み込むことができる、いくつかの例示的なコンポーネントを示す。記載のコンポーネントは、通信システム中の他のノード（たとえば、アクセスポイント）に組み込むことができる。また、所与のノードは、記載のコンポーネントのうちの１つまたは複数を含むことができる。たとえば、アクセスポイントは、アクセスポイントが複数の周波数上で動作し、および／または様々な技術によって通信できるようにする、複数のトランシーバコンポーネントを含むことができる。
【００３２】
図４に示すように、アクセスポイント１０８は、ワイヤレスノードと通信するためのトランシーバ４０２を含むことができる。トランシーバ４０２は、信号（たとえば、ブロック２０４において上述したビーコンおよびダウンリンクメッセージ）を送信するための送信機４０４と、信号（たとえば、アクセス端末からのアップリンクメッセージおよび他のアクセスポイントからの信号）を受信するための受信機４０６とを含む。同様に、アクセスポイント１０８は、他のネットワークノードと通信するためのネットワークインターフェース４０８を含むことができる。たとえば、ネットワークインターフェース４０８は、（たとえば、図１のノード１１２で表される）１つまたは複数のコアネットワークノードとの通信を可能にするために、ゲートウェイまたはネットワークの他の好適なエンティティと通信する（たとえば、ワイヤードまたはワイヤレスバックホール通信）ように構成できる。
【００３３】
アクセスポイント１０８はまた、本明細書で教示するビーコン生成動作に関連して使用される他のコンポーネントを含む。たとえば、アクセスポイント１０８は、ビーコンパラメータ（たとえば、電力レベル、時間期間、キャリア）を判断するため、および本明細書で教示する他の関連する機能を与えるためのビーコンコントローラ４１０を含むことができる。したがって、ビーコンコントローラ４１０は、ブロック２０２に関して上記で説明した機能を与えることができる。さらに、アクセスポイント１０８は、受信機４０６と協働して信号（たとえば、他のアクセスポイントからの干渉または他の送信）をモニタするため、および本明細書で教示する他の関連する機能を与えるためのモニタ４１２を含むことができる。アクセスポイント１０８は、アクセス端末との間の呼を管理するため、および本明細書で教示する他の関連する機能を与えるための呼マネージャ４１４をも含むことができる。さらに、アクセスポイント１０８は、ビーコンの送信をスケジュールするため（たとえば、場合によっては、ビーコン送信は、本明細書で説明するようにアクセス端末のセットの既知の起動時間に同期され、または場合によっては、ビーコン送信は、ビーコンコントローラ４１０によって判断されたパラメータを使用してスケジュールされる）、および本明細書で教示する他の関連する機能を与えるためのスケジューラ４１６を含むことができる。
【００３４】
便宜のために、アクセスポイント１０８を、本明細書で説明する様々な例において使用されるコンポーネントを含むものとして図４に示す。実際問題として、図示のコンポーネントのうちの１つまたは複数は、所与の実装形態では使用されないことがある。一例として、いくつかの実装形態では、アクセスポイント１０８はモニタ４１２を含まないことがある。
【００３５】
次に図５を参照すると、いくつかの実装形態では、様々なビーコン送信電力レベルおよび／または様々な時間期間を様々なキャリアに割り当てることができる。たとえば、本明細書で説明する低電力および高電力ビーコンモードで動作する間、様々な電力オフセットを様々なキャリアに対して適用することができる。
【００３６】
図５のブロック５０２で表されるように、いくつかの実装形態では、所与のキャリアのために使用すべきパラメータは、そのキャリア上で感知された信号とオプションで他のキャリア上で感知された信号とに基づくことができる。たとえば、アクセスポイント１０８は、様々なキャリア上での近傍アクセスポイントからの信号の受信信号レベルを判断することができるキャリア感知機能（たとえば、モニタ４１２）を備えることができる。この判断された信号強度に基づいて、アクセスポイント１０８は、様々なビーコン周波数上の様々な電力レベルを判断することができる。
【００３７】
ブロック５０４で表されるように、アクセスポイント１０８（たとえば、ビーコンコントローラ４１０）は、キャリアの各々のために使用すべき電力レベルを判断する。簡略化された例として、第１のキャリアＦ１には、０ｄＢの高い電力レベルと−２０ｄＢの低い電力レベルとを割り当てることができる。さらに、第２のキャリアＦ２には、−２ｄＢの高い電力レベルと−２２ｄＢの低い電力レベルとを割り当てることができるなどである。他の実装形態では、追加の電力レベル（すなわち、３つ以上）を所与のキャリアに割り当てることができることを諒解されたい。
【００３８】
上述のように、ビーコンパラメータの判断は検出された信号に基づくことができる。たとえば、アクセスポイント１０８は、特定のキャリア上での近傍アクセスポイントからの信号の受信信号強度に基づいて、このキャリア上で使用すべき電力レベル（たとえば、電力オフセット）を定義することができる。特定の例として、２つのキャリアＦ１およびＦ２が使用される場合、アクセスポイント１０８は、キャリアＦ２に比較してキャリアＦ１上で高い信号強度を検出した場合、キャリアＦ１上でのビーコンの有効性を改善するために、キャリアＦ２に比較してキャリアＦ１上でより高電力のビーコンを送信することができる。
【００３９】
他の場合には、ブロック５０４の判断は、定義されたパラメータに基づくことができる。たとえば、キャリアのために使用すべき電力レベルは、（たとえば、ネットワーク事業者によって定義された）ネットワーク計画によって指定され、データメモリにダウンロードできる。そのような場合、ブロック５０４の判断は、単に、たとえば、アクセスポイント１０８または何らかの他のエンティティのデータメモリから電力レベル値を読み取ることを含むことができる。
【００４０】
ブロック５０６で表されるように、アクセスポイント１０８（たとえば、ビーコンコントローラ４１０）はまた、キャリアの各々のために使用すべき様々な時間期間を判断する。たとえば、アクセスポイント１０８または何らかの他のエンティティは、少なくとも１つの他のキャリアに比較して、高電力バーストのために１つのキャリア上でより長いデューティサイクルを使用することができること、またはより長いデューティサイクルを使用すべきであることを判断することができる。特定の例として、アクセスポイント１０８は、キャリアＦ２に比較してキャリアＦ１上で近傍アクセスポイントからの高い受信信号強度を検出した場合、キャリアＦ１上でのビーコンの有効性を改善するために、キャリアＦ２上で高電力ビーコンを送信するためのデューティサイクル（たとえば、高電力１０％、低電力９０％）に比較して、キャリアＦ１上で高電力ビーコンを送信するためにより長いデューティサイクル（たとえば、高電力１５％、低電力８５％）を採用することができる。また、いくつかの実装形態では、ブロック５０６の判断は、定義されたパラメータ（たとえば、上記で説明した定義されたネットワーク計画）に基づくことができる。
【００４１】
次に図６〜図８を参照すると、アクセスポイントが近くのノードに対する干渉を緩和（たとえば、低減）することを可能にするために、本明細書の教示に関連して様々な技法を採用することができる。たとえば、図６には、フェムトアクセスポイントが、１つまたは複数のアクセス端末の起動時間と同期すべきビーコンの送信をスケジュールすることができる方式が記載されている。図７には、フェムトアクセスポイントが、フェムトチャネル上での連続的共通オーバーヘッドチャネル送信を中止し、代わりに、間欠的（たとえば、周期的）な方法でチャネルを送信することができる方式が記載されている。たとえば、送信は、代わりに、本明細書で説明する階層化ホッピング方式を採用することができる。図８は、フェムトアクセスポイントが、近くのアクセスポイントのビーコンに対する干渉を緩和するために、そのビーコン送信をスケジュールすることができる方式が記載されている。
【００４２】
最初に図６に参照すると、ブロック６０２で表されるように、アクセスポイント１０８は、少なくとも１つのアクセス端末の少なくとも１つの起動時間を判断する。たとえば、アクセスポイント１０８は、アクセス端末のセット（たとえば、所定のセット）を識別し、（たとえば、アクセス端末または何らかの他のエンティティから）それらの起動時間に関する情報を得ることができる。
【００４３】
ブロック６０４で表されるように、アクセスポイント１０８（たとえば、スケジューラ４１６）は、少なくとも１つの起動時間に同期されたビーコンの送信をスケジュールする。言い換えれば、アクセスポイント１０８は、判断された（１つまたは複数の）起動時間（たとえば、１つまたは複数の所定の起動時間）中にのみビーコンをオンにすることができる。
【００４４】
図７を参照すると、ブロック７０２で表されるように、アクセスポイント１０８（たとえば、呼マネージャ４１４）は、アクティブな呼がフェムトチャネル上にあるかどうかを判断する。そうであれば、アクセスポイント１０８は、ブロック７０４で表されるようにフェムトチャネル上でその通常の呼処理動作を続ける。たとえば、すべての共通制御チャネルをフェムトチャネル上でオンにすることができる。
【００４５】
ブロック７０６で表されるように、ブロック７０２においてアクティブな呼がない場合、アクセスポイント１０８は、次いで、アクセスポイント１０８上でアイドリングしているアクセス端末があるかどうかを判断する。少なくとも１つのアイドリングアクセス端末がある場合、アクセスポイント１０８は、ブロック７０８で表されるようにその通常のアイドル動作を続ける。
【００４６】
ブロック７１０で表されるように、ブロック７０６においてアイドリングアクセス端末がない場合、アクセスポイント１０８はフェムトチャネル上で階層化ビーコンカバレージおよびホッピングを採用する。たとえば、本明細書で説明するようにフェムトチャネル上で高電力ビーコンと低電力ビーコンとを送信することができる。さらに、フェムトチャネル上で連続的にビーコンを送信するのではなく、代わりに、本明細書で説明する方法と同様の方法で（たとえば、定義されたデューティサイクルに基づいて）様々な時間期間中にフェムトチャネル上および少なくとも１つの他のチャネル上でビーコンを送信する周波数ホッピングを採用することができる。
【００４７】
図６の動作は図７の動作に関連して使用されることを諒解されたい。たとえば、アクセスポイント１０８に対してアクティブアクセス端末がない場合、アクセスポイント１０８は、フェムトチャネル上でアイドリングしている少なくとも１つのアクセス端末の（１つまたは複数の）起動時間と同期するフェムトチャネル上のビーコンの送信をスケジュールすることができる。
【００４８】
次に図８を参照すると、展開されたフェムトアクセスポイントの数が増加するにつれて問題となる可能性がある近傍アクセスポイント（たとえば、フェムトアクセスポイント）のビーコンからの干渉を低減するために、近傍フェムトアクセスポイントは様々なスロット中にそれらのビーコン送信をずらす（stagger）することができる。
【００４９】
ブロック８０２で表されるように、いくつかの実装形態では、アクセスポイント１０８（たとえば、モニタ４１２）は、干渉が起こるかどうかを判断するために、他のアクセスポイントの送信をモニタする。たとえば、アクセスポイント１０８は、どのキャリアが近傍フェムトアクセスポイントによって使用されているかを判断するため、およびそれらのアクセスポイントの送信時間（たとえば、送信オフセット）を判断するために隣接ビーコンを探る（sniff）ことができる。
【００５０】
ブロック８０４で表されるように、アクセスポイント１０８（たとえば、スケジューラ４１６）は、他のアクセスポイントによる送信との競合（たとえば、干渉）を緩和するために、そのビーコンの送信をスケジュールする。たとえば、上述のように、アクセスポイント１０８は、これらの送信が、近傍フェムトアクセスポイントのビーコン送信と同じ周波数上で同時に行われないか、または行われる可能性がないように、そのビーコン送信をずらすそうと試みることができる。
【００５１】
いくつかの実装形態では、アクセスポイントはランダムスタガリング方式を採用することができる。ここで、アクセスポイントは、ある周波数上でそのビーコン送信を開始するために、スロットサイクル内でスロットをランダムに選択し、その後、本明細書で説明するスケジュールに従う。言い換えれば、アクセスポイントの各々は、それが様々な周波数上でビーコンを送信する時間をランダムに選択することができる。このようにして、近傍アクセスポイントからのビーコンの衝突確率を低減（たとえば、最小化）することができる。
【００５２】
いくつかの実装形態では、アクセスポイントはインテリジェント感知ベースのスタガリング方式を採用することができる。この場合、アクセスポイント１０８は、たとえば、ブロック８０２において上記で説明したように近傍ビーコンをスニッフし、最小の干渉量をもつスロットを選択することによって、その送信をそのネイバーからオフセットすることができる。
【００５３】
他の実装形態では、他のスタガリング方式を採用することができる。たとえば、いくつかの実装形態では、アクセスポイントは、ビーコン送信のために異なるスロットおよび／または周波数を選択するように、（たとえば、バックホールを介して）互いに交渉することができる。
【００５４】
上記を念頭において、階層化カバレージビーコンを与えることに関連して採用できる例示的な設計考慮事項および設計技法について、次に図９Ａ〜図１４を参照しながら説明する。
【００５５】
いくつかのワイヤレス通信システム（たとえば、１ｘＲＴＴ）では、ページングチャネルはスロット（以下ではＦ−ＰＣＨスロットと呼ぶ）に分割される。アイドル状態中に、アクセス端末は、一般に、それらがＦ−ＰＣＨを周期的にモニタするスロットモードで動作する。割り当てられたＦ−ＰＣＨスロットをモニタするとき（起動状態）、アクセス端末の回路を完全に有効化することができる。Ｆ−ＰＣＨをモニタした後、アクセス端末は、バッテリ寿命を節約するために、その回路の大部分をオフにすることができる（「休眠」状態への遷移）。次の起動状態の少し前に、アクセス端末は、次のＦ−ＰＣＨスロットに対して準備するために回路をオンにする（ウォームアップ期間）。したがって、アクセス端末の適切な動作のために、ウォームアップ期間を考慮に入れて、ページングスロット中にビーコンを送信すべきである。スロットモードでは、各アクセスポイントには、（たとえば、１．２８ｓ、２．５６ｓ、５．１２ｓなどの値をとることができる）スロットサイクルの期間とともにＦ−ＰＣＨスロット（たとえば、８０ｍｓ）が割り当てられる。たとえば、５．１２秒のスロットサイクルの場合、６４ページングスロットがある。アクセス端末にとって利用可能な２つの周波数（Ｆ１およびＦ２）があると仮定すると、フェムトアクセスポイント（以下ではフェムトと呼ぶ）はＦ１上とＦ２上で交互にビーコンを送信することができる。ウォームアップ期間を与えるために、各パイロットビーコンは、必要とされるスロットサイクル継続時間（たとえば、各周波数上で６ｓ）よりも少し長く送信できる。ビーコンが各キャリア周波数上で連続的に送信される継続時間をビーコン送信継続時間（ＢＴＤ）として示すことができる。図９Ａに、２つの周波数（Ｆ１およびＦ２）と、スロットサイクル長よりも大きいＢＴＤとをもつシステムにおける例示的なビーコン動作を示す。この場合、２つの周波数があるので、アクセス端末は、フェムトのカバレージに入るとき、［０，２＊ＢＴＤ］秒の時間間隔内でビーコンを検出することが予想できる。
【００５６】
ビーコンは、アクセス端末がフェムトセルに切り替わるための効果的な機構を与えるが、ビーコンはまた、フェムトセルの近傍にあるが、フェムトセルへのハンドオフを実行できないアクセス端末に対する干渉を引き起こすことがある。たとえば、マクロセルとのアクティブボイス呼中であるアクセス端末がフェムトをもつ家屋のそばを通るシナリオについて考える。フェムトが極めて高い電力レベルでビーコンを送信する場合、ビーコンはアクセス端末に対する大きい干渉を引き起こし、呼が落ちることさえある。たとえば、１ｘＲＴＴアクセス端末では、１２個の連続する消去された順方向リンク（ＦＬ）フレーム（たとえば、２４０ｍｓ）がある場合、アクセス端末は、その送信機を無効化し、５秒タイマーを始動する。タイマーが満了する前に２つの連続する非消去フレームが受信されない場合、アクセス端末は呼を中断する。したがって、ビーコン送信継続時間（ＢＴＤ）を低減することが望ましい。低減されたＢＴＤの例を図９Ｂに示す。
【００５７】
ＢＴＤパラメータのための１つの例示的な極端な選択として、ＢＴＤは、１つのＦ−ＰＣＨスロット（たとえば、８０ｍｓ）程度に小さくすることができる。しかしながら、アクセス端末のウォームアップ期間要件により、ビーコンは、各キャリア上でより長い期間（たとえば、少なくとも１００ｍｓ）の間、送信される必要がある。また、パイロットビーコン送信に関連するウォームアップ期間が存在することがある。上記のウォームアップオーバーヘッドは、効率のためにより長いＢＴＤを与えることが望ましいことを示唆する。
【００５８】
妥協として、ＢＴＤに２００ｍｓを選択することができる。これは、アクセス端末が逆方向リンク（ＲＬ）送信を停止しないように、最大停止継続時間を上述の２４０ｍｓよりも少なく制限する。また、ＢＴＤ＝２００ｍｓの場合、アクセス端末のための４０ｍｓのウォームアップ継続時間を考慮に入れながら、２つのＦ−ＰＣＨスロットをカバーすることができる（たとえば、１６０ｍｓ）。また、次のＦ−ＰＣＨスロットの開始の前に、ビーコンがある周波数から別の周波数に切り替わるために、別の最高４０ｍｓを考慮に入れることができる。この例示的な設計を図１０に示す。この場合、６つの連続するＦ−ＰＣＨスロットのうちの２つのみが、各周波数上でビーコンによってカバーされることが保証されることに留意されたい。したがって、アクセス端末は、フェムトセルカバレージに入るとき、［０，３＊（スロットサイクル長）］秒の時間間隔内でビーコンを検出することが予想できる。
【００５９】
アクセス端末のバッテリ寿命をさらに改善するために、いくつかのシステムは、高速ページングチャネル（たとえば、Ｆ−ＱＰＣＨ）を利用することができる。アクセス端末がＦ−ＱＰＣＨを検出するように構成されたとき、アクセス端末は、Ｆ−ＱＰＣＨ上でページングインジケータをモニタするために、それらの割り当てられたＦ−ＰＣＨスロットより（たとえば、１００ｍｓ）前に起動する。アイドルモードハンドオフでは、アクセス端末は、現在キャンプしているセクタよりも（たとえば、定義されたマージンだけ）強い新しいセクタを検出した場合、アイドルハンドオフを実行し、新しいセル（たとえば、セクタ）上でＦ−ＰＣＨをモニタする。この場合、６つの連続するＦ−ＰＣＨスロットごとに１つのみが、各周波数上でビーコンによってカバーされることが保証される。したがって、アクセス端末は、フェムトセルカバレージに入るとき、［０，６＊（スロットサイクル長）］秒の時間間隔内でビーコンを検出することが予想できる。
【００６０】
システム中でより多くの周波数が使用される場合、アクセス端末によるフェムトセルの検出の遅延が増加することがある。一般に、アクセス端末がフェムトセルのカバレージ中にあり、アクセス端末がＦ−ＱＰＣＨのために構成されていないとき、ビーコンの検出の最大遅延は次のように表すことができる。
【数１】
0005290420.tif 000002
【００６１】
アクセス端末がＦ−ＱＰＣＨのために構成された場合、最大遅延は次のように表すことができる。
【数２】
0005290420.tif 000003
【００６２】
いくつかの態様では、式１および式２に示す最大遅延は、ビーコン送信波形タイムラインのために生じる遅延を表す。アクセス端末がビーコンを検出することができるように、ビーコンが十分な電力を用いて送信されると仮定する。ビーコン電力が十分でない場合、アクセス端末はビーコンを検出することができず、遅延は無限となる可能性がある。
【００６３】
図１１Ａの表に、ＢＴＤの様々な値とシステム中で使用される様々な数のキャリア周波数とに対する、フェムトセルカバレージ中のフェムトユーザのためのフェムトセルの検出の例示的な最大遅延を示す。また、フェムトセルカバレージ中のマクロセルアクセス端末のサービス停止継続時間（ＢＴＤに等しい）と、この停止の期間とを示す。たとえば、ＢＴＤ＝２００ｍｓであり、２つの周波数があるとき、図１１Ａは、「強い」フェムトセルカバレージ中のマクロセルアクセス端末が４８０ｍｓごとに２００ｍｓのサービス停止を経験する可能性があることを示す。ボイス呼を行っているアクセス端末の場合、この停止はＤＬボイス品質に対して顕著なボイスアーティファクトを生じることがある。ＢＴＤが増加するにつれて、サービス停止の期間と継続時間の両方が増加する。さらに、ＤＬ上のサービス停止（連続するフレーム消去）が２４０ｍｓを超える場合、２つの良好なフレームがＤＬ上で受信されるまで、アクセス端末はそのＲＬ送信を停止することができ、それによって、潜在的に、ＲＬボイス品質に対して追加のアーティファクトが生じる。
【００６４】
図１１Ｂの表に、アクセス端末が高速ページングチャネルのために構成された場合の図１１Ａと同様のデータを示す。この場合、フェムトセルを捕捉する際の遅延はさらに増加する。
【００６５】
本明細書の教示によれば、捕捉遅延と干渉との間に許容できるトレードオフを与えるようにビーコン送信パラメータを定義することができる。たとえば、ＢＴＤは、システム中のキャリアの総数とフェムトセル捕捉のための所望の最大遅延とに基づいて構成できる。ＢＴＤに加えて、考慮すべき別のパラメータは、ビーコンチャネルのために使用される送信電力である。送信電力が大きいほど、フェムトセルアクセス端末のためのビーコンカバレージが改善されるが、（たとえば、以下でより詳細に説明する制限された関連付けのために）フェムトセルに関連付けることができないマクロセルアクセス端末の停止範囲が増大する。
【００６６】
表１に、（たとえば、フェムトセルＦ−ＰＩＣＨ送信電力に関して）ビーコンＦ−ＣＰＩＣＨ送信電力の様々な値に対する、フェムトビーコンによるサービス停止を経験するマクロセルアクセス端末の部分と、ユーザのホームにおけるフェムトセルアクセス端末のためのカバレージとの例を示す。たとえば、０ｄＢの電力オフセット（たとえば、フェムトセル動作周波数上のフェムトセル制御チャネルと同じ電力で送信されるビーコンチャネル）において、システム中のマクロセルユーザの５．５％がサービス停止を経験することがあり、ホームの９１．８％がビーコンによってカバーできることがわかる。ビーコン送信電力を２０ｄＢだけ低減した場合、サービス停止は低減し（１％）、ホームカバレージも低減する（６３．９％）。
【表１】
0005290420.tif 000004
【００６７】
ビーコン電力をあまりに多く低減した場合、ホームのフェムトセルユーザはフェムトセルを決して捕捉することができない。たとえば、ユーザは、フェムトセルを捕捉するために、フェムトが常駐する部屋の中に歩いて行かなければならないことがある。この問題を解決するために、本明細書で教示する階層化ビーコンカバレージを与えるためにビーコン送信電力を周期的に増加させることができる。
【００６８】
ビーコン送信のための高電力および低電力スケジュールを調整するための２つの例示的な設計について以下で説明する。いくつかの態様では、これらの設計は、図１２のフローチャートで説明する一般化された動作を含むことができる。
【００６９】
ブロック１２０２で表されるように、（１つまたは複数の）マクロチャネル上のアクセス端末（たとえば、アクセス端末１０２）のための許容できる停止レベルを判断する。本明細書で説明するように、この停止の程度は、ビーコンを送信するためにフェムトが使用する電力レベルに依存する。したがって、いくつかの態様では、この停止は、マクロセルアクセス端末がフェムトによるビーコンの送信の結果として許容することができる、許容できる干渉レベルを示す。いくつかの実装形態では、この停止情報は、表１に記載されている停止中のマクロセルアクセス端末の割合に関係することができる。
【００７０】
ブロック１２０４で表されるように、フェムトビーコンのための許容できるカバレージレベルを判断する（たとえば、アクセスポイントからのパスロスの所定のセットにおけるビーコンの確実な復号に基づくカバレージ）。いくつかの実装形態では、このカバレージ情報は、表１に記載されているフェムトセルカバレージ中にあるホームアクセス端末の割合に関係することができる。
【００７１】
ブロック１２０６で表されるように、次いで、ビーコンを送信するために使用される電力レベルと時間期間とを判断する。下記の設計において詳細に説明するように、これらのパラメータは、少なくともいくつかの態様では、ブロック１２０２において判断された許容できる停止と、ブロック１２０４において判断された許容できるカバレージと、採用されるキャリアの数と、スロットサイクルの長さとに基づくことができる。
【００７２】
上述のパラメータは、ネットワーク計画、アクセスポイント１０８の動作、何らかの他のエンティティの動作、またはそれらの何らかの組合せによって定義できる。したがって、場合によっては、これらの動作のうちの１つまたは複数あるいはこれらの動作の一部分は、アクセスポイント１０８（たとえば、ビーコンコントローラ４１０）によって実行できる。場合によっては、ブロック１２０２および１２０４の判断またはブロック１２０６の判断は、単に、データメモリにダウンロードされたパラメータを読み取ることを含むことができる。
【００７３】
第１の例示的な設計は、マルチステッププロセスを使用することによって、式１および式２において上述したＭａｘ＿Ｄｅｌａｙ（最大遅延）パラメータに基づいて様々な電力レベルに対してＢＴＤを設定することを含む。ステップ１において、Ｎ１＊Ｍａｘ＿Ｄｅｌａｙの期間に対してビーコン送信電力をＰ１に設定する。ステップ２において、Ｎ２＊Ｍａｘ＿Ｄｅｌａｙの期間に対してビーコン送信電力をＰ２に設定する。ステップｋにおいて、Ｎｋ＊Ｍａｘ＿Ｄｅｌａｙの期間に対してビーコン送信電力をＰｋに設定する。ステップｋ＋１において、プロセスはステップ１に戻る。
【００７４】
一例として、２つの周波数があり、ＢＴＤ＝４４０ｍｓであり、Ｆ−ＱＰＣＨがない場合について考える。この場合、表１からわかるように、Ｍａｘ＿Ｄｅｌａｙは１２．３秒に等しく、サービス停止継続時間は０．４４秒であり、停止期間は０．９６秒である。上記のアルゴリズムのためのパラメータは、（たとえば、ネットワーク計画によって）ｋ＝２、Ｐ１＝−２０ｄＢ（オフセット）、Ｎ１＝１０、Ｐ２＝０ｄＢ（オフセット）、およびＮ２＝１のように選択されると仮定する。
【００７５】
この場合、ビーコンは、１０＊１２．３＝１２３秒の継続時間の間、−２０ｄＢの電力オフセットで送信される。この時間期間中に、マクロセルアクセス端末の１％のみがサービス停止を経験する。しかしながら、ホームロケーションの６３．９％がビーコンによってカバーされるにすぎない（表１に基づく）。この場合、ユーザが帰宅した場合、ユーザのアクセス端末は、フェムトセルを検出する妥当な可能性を有する。ユーザが偶然、家屋の不運なロケーションに静止している場合、最高１２３＋１２．３＝１３５．３秒後に、ユーザのアクセス端末は、フェムトセルを捕捉する可能性が極めて高い（９１．３％）。ユーザのアクセス端末がフェムトセルを捕捉すると、（Ｐ２が０ｄＢの電力オフセット、すなわち、フェムトセルの動作周波数送信電力と同じ電力に設定されているので）アクセス端末は、ユーザのためのカバレージを維持する可能性があるフェムトセルキャリア周波数（たとえば、フェムトチャネル）上に入れられることに留意されたい。この場合、マクロセルアクセス端末の５．５％が、間欠的にのみ（１３５．３秒の時間間隔ごとに１２．３秒間）カバレージ停止を経験する。これらのパラメータは、静的パラメータとして、またはフェムトによって自律的に、フィールド測定値に基づいてさらに最適化できる。たとえば、電力設定などを調整することによってピン効果（ping effect）を低減（たとえば、最小化）することができる。
【００７６】
第２の例示的な設計は、ビーコンのための２つの電力レベルオフセット、すなわち、オフセット０ｄＢをもつ高電力ビーコン送信と、オフセット−２０ｄＢをもつ低電力ビーコン送信しかない場合、どのようにスケジュールをセットアップすることができるかを表す。スロットサイクル当たりＳページングスロットがある。したがって、スロットは、０、１、．．．、Ｓ−１（モジュロＳ）と番号付けされる。ビーコンが送信されるＦ個のマクロチャネルがあり、ｆ＝０、１、．．．、Ｆ−１である。
【００７７】
いずれかの周波数チャネル上のボイスチャネル中断および劣化を最小限に抑えるために、最大バースト長またはＢＴＤはＭページングスロット（プラスいくつかの追加のオーバーハング）に制限され、高電力バーストは、いずれかの周波数チャネル上のＮ×ＳページングスロットまたはＮスロットサイクルほど頻繁には現れない。すなわち、劣化は、Ｎ×ＳスロットごとまたはＮスロットサイクルごとにＭ＋１スロット未満に制限される。
【００７８】
連続するスロットサイクルは、ｋ＝０、１、２、３などで示される。したがって、高電力バーストは、ｋ  ｍｏｄｕｌｏ  Ｎ＝０になるようにスロットサイクルｋ中で生じる。ｋ  ｍｏｄｕｌｏ  Ｎ＝０になるようなスロットサイクルｋ中に、高電力ビーコンは、各チャネル上のｍページングスロット＋事前送信オーバーハングの１つのスロット上で送信するＦ個のマクロ周波数チャネルのセットにわたってホッピングする。これは、合計Ｆ（Ｍ＋１）スロットを占める。ビーコンは、次いで、そのスロットサイクルの残りならびに次のＮ−１スロットサイクルのために低電力モードに切り替わる。低電力モード中に、ビーコンは、ＢＴＤパラメータによって規定されたようにチャネルを切り替えることができる。
【００７９】
これらの制限を仮定すれば、高電力ビーコン送信のために以下スケジュールを提案することができる。スロットサイクル０の場合、ｆ（ｍ＋１）、ｆ（ｍ＋１）＋１、．．．ｆ（ｍ＋１）＋ｍ−１を、高電力ビーコンがスロットサイクル０中の周波数ｆ上で送信されるスロットとし、したがって、高電力ビーコンを含んでいるスロットサイクルの場合、スロット位置を次のように与えることができる。
【数３】
0005290420.tif 000005
【００８０】
これらはすべて、モジュロＳのスロット番号である。
【００８１】
代替記述として、スロットサイクルｋ＝ｊ＊Ｎ（ただし、ｊ＝１，２，３．．．）の場合、スロットｆ（ｍ＋１）−ｊｍ、ｆ（ｍ＋１）−ｊｍ＋１、．．．、ｆ（ｍ＋１）−ｊｍ＋（ｍ−１）は高電力ビーコンを有する。
【００８２】
図１３に、本明細書の教示による高電力ビーコンと低電力ビーコンとを点在させるための例示的なスケジュールを示す。ここで、高電力バーストのＢＴＤはｍスロットとすることができる。ＮＳスロットごとにｍ＋１ページングスロット以下に中断を制限しながら、すべてのページングスロットがカバーされる。図１３はまた、ビーコン送信時間期間が様々なサイクル中でどのように異なることがあるかを示す。
【００８３】
また、上述のように、（たとえば、アクティブまたはアイドルユーザがない）いくつかの状況では、フェムトチャネル上で階層化ビーコンホッピングを採用することができる。したがって、図１３に示すキャリアＦ３上のビーコン送信は、これらの状況ではフェムトチャネルに対応することができる。
【００８４】
したがって、上記は、Ｓスロットの全ページングスロットスペースをカバーするために、Ｎ×Ｓ／ｍスロットサイクルにわたって高電力ビーコン送信を行う１つの可能なスケジュールを表す。この方式の１つの利益は、まさに次の送信中の完全ページングスロットとともに１つの高電力ビーコン送信の事前送信オーバーハングをカバーすることができることである。これを図１４に示す。ここで、（たとえば、ｍスロットのＢＴＤをもつ）スロットサイクルｋ＋２の高電力バーストが、前の高電力バースト（スロットサイクルｋ）のスロットに先行するスロット中で行われることがわかる。
【００８５】
各高電力スロットを２回連続して繰り返す必要がある場合、本明細書で教示するスケジュールを拡張することができる。これは、アクセス端末がブロードキャスト／ページングチャネルを復号する前に新しいＰＮ系列を観測した後、１つの追加のスロットサイクルを待つようなアクセス端末プロシージャの場合に当てはまる。しかしながら、上記で参照した表で示すように、この場合は総待ち時間が２倍になるであろう。
【００８６】
本明細書の教示によれば、高電力ビーコンが生じる周波数とＢＴＤとの間でトレードオフする他のスケジュールを設計することができる。上記の設計は、Ｎスロットサイクルごとに１回、各周波数上で１つのビーコンバーストを送信するように選択する。これの単純な拡張は、たとえば、スロットサイクルｋ中の各周波数上で一定数のスロットによって分離された２つの高電力ビーコンバーストを送信することと、２Ｎスロットサイクルごとに繰り返すこととを含む。各高電力ビーコン送信をＢＴＤに限定するために、記載の設計は、Ｆ個の周波数チャネルにわたって循環することを含む。より一般的には、Ｌ個の高電力ビーコンバーストを連続して送信し、ＬＮスロットサイクルごとに繰り返すことができる。
【００８７】
上記で説明したように、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンスベースまたは建築物ベースのネットワーク環境）とを含むネットワークにおいて採用できる。アクセス端末（ＡＴ）がそのようなネットワーク中を移動するとき、アクセス端末は、いくつかのロケーションでは、マクロカバレージを与えるアクセスポイントによってサービスされ、他のロケーションでは、より小規模のカバレージを与えるアクセスポイントによってサービスされることがある。いくつかの態様では、より小さいカバレージノードを使用して、増分キャパシティの増大と、屋内カバレージと、（たとえば、よりロバストなユーザエクスペリエンスのための）様々なサービスとを与えることができる。
【００８８】
本明細書の説明では、比較的に広いエリアにわたるカバレージを与えるノード（たとえば、アクセスポイント）をマクロノードと呼び、比較的小さいエリア（たとえば、レジデンス）にわたるカバレージを与えるノードをフェムトノードと呼ぶことがある。本明細書の教示は、他のタイプのカバレージエリアに関連付けられたノードに適用できる場合があることを諒解されたい。たとえば、ピコノードは、マクロエリアよりも小さく、フェムトエリアよりも大きいエリアにわたるカバレージ（たとえば、商業建築物内のカバレージ）を与えることができる。様々な適用例では、マクロノード、フェムトノード、または他のアクセスポイントタイプのノードを指すために他の用語を使用することがある。たとえば、マクロノードを、アクセスノード、基地局、アクセスポイント、ｅＮｏｄｅＢ、マクロセルなどとして構成し、またはそのように呼ぶことがある。また、フェムトノードを、Ｈｏｍｅ  ＮｏｄｅＢ、Ｈｏｍｅ  ｅＮｏｄｅＢ、アクセスポイント基地局、フェムトセルなどとして構成し、またはそのように呼ぶことがある。いくつかの実装形態では、ノードを１つまたは複数のセルまたはセクタに関連付ける（たとえば、分割する）ことができる。マクロノード、フェムトノード、またはピコノードに関連付けられたセルまたはセクタを、それぞれ、マクロセル、フェムトセル、またはピコセルと呼ぶことがある。
【００８９】
図１５に、本明細書の教示を実装することができる、いくつかのユーザをサポートするように構成されたワイヤレス通信システム１５００を示す。システム１５００は、たとえば、マクロセル１５０２Ａ〜１５０２Ｇなど、複数のセル１５０２の通信を可能にし、各セルは、対応するアクセスポイント１５０４（たとえば、アクセスポイント１５０４Ａ〜１５０４Ｇ）によってサービスされる。図１５に示すように、アクセス端末１５０６（たとえば、アクセス端末１５０６Ａ〜１５０６Ｌ）は、時間とともにシステム全体にわたって様々なロケーションに分散できる。各アクセス端末１５０６は、たとえば、アクセス端末１５０６がアクティブかどうか、およびアクセス端末１５０６がソフトハンドオフ中かどうかに応じて、所与の瞬間に順方向リンク（ＦＬ）および／または逆方向リンク（ＲＬ）上で１つまたは複数のアクセスポイント１５０４と通信することができる。ワイヤレス通信システム１５００は広い地理的領域にわたってサービスを提供することができる。たとえば、マクロセル１５０２Ａ〜１５０２Ｇは、近隣内の数ブロックまたは地方環境の数マイルをカバーすることができる。
【００９０】
図１６に、１つまたは複数のフェムトノードがネットワーク環境内に展開された例示的な通信システム１６００を示す。特に、システム１６００は、比較的小規模のネットワーク環境中に（たとえば、１つまたは複数のユーザレジデンス１６３０中に）設置された複数のフェムトノード１６１０（たとえば、フェムトノード１６１０Ａおよび１６１０Ｂ）を含む。各フェムトノード１６１０は、ＤＳＬルータ、ケーブルモデム、ワイヤレスリンク、または他の接続手段（図示せず）を介して、ワイドエリアネットワーク１６４０（たとえば、インターネット）およびモバイル事業者コアネットワーク１６５０に結合される。後述するように、各フェムトノード１６１０は、関連するアクセス端末１６２０（たとえば、アクセス端末１６２０Ａ）、および、オプションで、他の（たとえば、ハイブリッドまたは外来）アクセス端末１６２０（たとえば、アクセス端末１６２０Ｂ）にサービスするように構成できる。言い換えれば、フェムトノード１６１０へのアクセスを制限することができ、それによって、所与のアクセス端末１６２０を、指定された（１つまたは複数の）（たとえば、ホーム）フェムトノード１６１０のセットがサービスすることはできるが、指定されていないフェムトノード１６１０（たとえば、ネイバーのフェムトノード１６１０）がサービスすることはできない。
【００９１】
図１７に、いくつかの追跡エリア１７０２（またはルーティングエリアまたは位置登録エリア）が画定されたカバレージマップ１７００の例を示し、そのエリアの各々はいくつかのマクロカバレージエリア１７０４を含む。ここで、追跡エリア１７０２Ａ、１７０２Ｂ、および１７０２Ｃに関連付けられたカバレージのエリアは太線によって示され、マクロカバレージエリア１７０４は大きい六角形によって表される。追跡エリア１７０２はフェムトカバレージエリア１７０６をも含む。この例では、フェムトカバレージエリア１７０６の各々（たとえば、フェムトカバレージエリア１７０６Ｂおよび１７０６Ｃ）は、１つまたは複数のマクロカバレージエリア１７０４（たとえば、マクロカバレージエリア１７０４Ａおよび１７０４Ｂ）内に示されている。ただし、フェムトカバレージエリア１７０６の一部または全部がマクロカバレージエリア１７０４内にない場合があることを諒解されたい。実際問題として、多数のフェムトカバレージエリア１７０６（たとえば、フェムトカバレージエリア１７０６Ａおよび１７０６Ｄ）を所与の追跡エリア１７０２またはマクロカバレージエリア１７０４内に画定することができる。また、１つまたは複数のピコカバレージエリア（図示せず）を所与の追跡エリア１７０２またはマクロカバレージエリア１７０４内に画定することができる。
【００９２】
再び図１６を参照すると、フェムトノード１６１０の所有者は、たとえば、３Ｇモバイルサービスなど、モバイル事業者コアネットワーク１６５０を介して提供されるモバイルサービスに加入することができる。さらに、アクセス端末１６２０は、マクロ環境と、より小規模の（たとえば、宅内）ネットワーク環境の両方で動作することが可能である。言い換えれば、アクセス端末１６２０の現在位置に応じて、アクセス端末１６２０は、モバイル事業者コアネットワーク１６５０に関連付けられたマクロセルアクセスポイント１６６０によって、または、フェムトノード１６１０のセットのいずれか１つ（たとえば、対応するユーザレジデンス１６３０内に常駐するフェムトノード１６１０Ａおよび１６１０Ｂ）によってサービスされることがある。たとえば、加入者は、自宅の外にいるときは標準のマクロアクセスポイント（たとえば、アクセスポイント１６６０）によってサービスされ、自宅の中にいるときはフェムトノード（たとえば、ノード１６１０Ａ）によってサービスされる。ここで、フェムトノード１６１０は、レガシーアクセス端末１６２０と後方互換性がある。
【００９３】
フェムトノード１６１０は、単一の周波数上に展開でき、または代替として、複数の周波数上に展開できる。特定の構成に応じて、単一の周波数、あるいは複数の周波数のうちの１つまたは複数は、マクロアクセスポイント（たとえば、アクセスポイント１６６０）によって使用される１つまたは複数の周波数と重なることがある。
【００９４】
いくつかの態様では、アクセス端末１６２０は、そのような接続性が可能であるときはいつでも、好適なフェムトノード（たとえば、アクセス端末１６２０のホームフェムトノード）に接続するように構成できる。たとえば、アクセス端末１６２０Ａがユーザのレジデンス１６３０内にあるときはいつでも、アクセス端末１６２０Ａがホームフェムトノード１６１０Ａまたは１６１０Ｂのみと通信することが望ましい。
【００９５】
いくつかの態様では、アクセス端末１６２０がマクロセルラーネットワーク１６５０内で動作しているが、（たとえば、好適ローミングリスト中で定義された）その最も好適なネットワーク上に常駐していない場合、アクセス端末１６２０は、ベターシステムリセレクション（ＢＳＲ）を使用して、最も好適なネットワーク（たとえば、好適なフェムトノード１６１０）を探索し続け、ベターシステムリセレクションでは、より良好なシステムが現在利用可能であるかどうかを判断するために利用可能なシステムの周期的スキャニングを行い、その後、そのような好適なシステムに関連付けようとする。捕捉エントリを用いて、アクセス端末１６２０は、特定の帯域およびチャネルの探索を制限することができる。たとえば、１つまたは複数のフェムトチャネルが定義され、それにより、領域中のすべてのフェムトノード（またはすべての制限付きフェムトノード）は（１つまたは複数の）フェムトチャネル上で動作することができる。最も好適なシステムの探索を周期的に繰り返すことができる。好適なフェムトノード１６１０が発見されると、アクセス端末１６２０は、そのカバレージエリア内にキャンプするためにフェムトノード１６１０を選択する。
【００９６】
フェムトノードは、いくつかの態様では、制限されることがある。たとえば、所与のフェムトノードは、いくつかのサービスをいくつかのアクセス端末のみに提供することができる。いわゆる制限（または限定）された関連付けを用いた展開では、所与のアクセス端末は、マクロセルモバイルネットワークと、フェムトノードの定義されたセット（たとえば、対応するユーザレジデンス１６３０内に常駐するフェムトノード１６１０）とによってのみサービスされる。いくつかの実装形態では、ノードは、少なくとも１つのノードにシグナリング、データアクセス、登録、ページング、またはサービスのうちの少なくとも１つを与えないように制限される。
【００９７】
いくつかの態様では、（限定加入者グループＨｏｍｅ  ＮｏｄｅＢと呼ばれることもある）制限付きフェムトノードは、制限された準備されたアクセス端末のセットにサービスを提供するノードである。このセットは、必要に応じて、一時的にまたは永続的に拡大できる。いくつかの態様では、限定加入者グループ（ＣＳＧ）は、アクセス端末の共通のアクセス制御リストを共有するアクセスポイント（たとえば、フェムトノード）のセットとして定義できる。
【００９８】
したがって、所与のフェムトノードと所与のアクセス端末との間には様々な関係が存在する。たとえば、アクセス端末の観点から、開いたフェムトノードは、制限された関連付けをもたない（たとえば、フェムトノードが任意のアクセス端末へのアクセスを許す）フェムトノードを指す。制限付きフェムトノードは、何らかの形で制限された（たとえば、関連付けおよび／または登録のために制限された）フェムトノードを指す。ホームフェムトノードは、アクセス端末がアクセスし、その上で動作することを許可される（たとえば、永続的なアクセスが、１つまたは複数のアクセス端末の定義されたセットに与えられる）フェムトノードを指す。ゲストフェムトノードは、アクセス端末がアクセスし、またはその上で動作することを一時的に許可されるフェムトノードを指す。外来フェムトノードは、おそらく非常事態（たとえば、９１１番）を除いて、アクセス端末がアクセスし、またはその上で動作することを許可されないフェムトノードを指す。
【００９９】
制限付きフェムトノードの観点から、ホームアクセス端末は、制限付きフェムトノードへのアクセスを許可されるアクセス端末を指す（たとえば、アクセス端末は、フェムトノードへの永続的なアクセスを有する）。ゲストアクセス端末は、（たとえば、デッドライン、使用時間、バイト、接続数、または何らかの他の１つまたは複数の基準に基づいて制限された）制限付きフェムトノードへの一時的アクセスをもつアクセス端末を指す。外来アクセス端末は、たとえば、おそらく９１１番などの非常事態を除いて、制限付きフェムトノードにアクセスする許可を有していないアクセス端末（たとえば、制限付きフェムトノードに登録する証明書または許可を有していないアクセス端末）を指す。
【０１００】
便宜のために、本明細書の開示では、フェムトノードの文脈で様々な機能について説明する。ただし、ピコノードまたは何らかの他のタイプのノードは、異なる（たとえば、より大きい）カバレージエリアに同じまたは同様の機能を与えることができることを諒解されたい。たとえば、所与のアクセス端末に対して、ピコノードを制限すること、ホームピコノードを定義することなどが可能である。
【０１０１】
本明細書の教示は、複数のワイヤレスアクセス端末のための通信を同時にサポートするワイヤレス多元接続通信システムにおいて採用できる。ここで、各端末は、順方向リンクおよび逆方向リンク上の送信を介して１つまたは複数のアクセスポイントと通信する。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立できる。
【０１０２】
ＭＩＭＯシステムは、データ送信用の複数（ＮT）個の送信アンテナおよび複数（ＮR）個の受信アンテナを使用する。ＮT個の送信アンテナとＮR個の受信アンテナとによって形成されるＭＩＭＯチャネルは、空間チャネルと呼ばれることもあるＮS個の独立チャネルに分解でき、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０１０３】
ＭＩＭＯシステムは時分割複信（ＴＤＤ）および周波数分割複信（ＦＤＤ）をサポートすることができる。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【０１０４】
図１８に、例示的なＭＩＭＯシステム１８００のワイヤレスデバイス１８１０（たとえば、アクセスポイント）およびワイヤレスデバイス１８５０（たとえば、アクセス端末）を示す。デバイス１８１０では、いくつかのデータストリームのトラフィックデータが、データソース１８１２から送信（ＴＸ）データプロセッサ１８１４に供給される。各データストリームは、次いで、それぞれの送信アンテナを介して送信できる。
【０１０５】
ＴＸデータプロセッサ１８１４は、符号化データを供給するために、そのデータストリーム用に選択された特定の符号化方式に基づいて、データストリームごとにトラフィックデータをフォーマット化し、符号化し、インターリーブする。各データストリームの符号化データは、ＯＦＤＭまたは他の好適な技法を使用してパイロットデータで多重化できる。パイロットデータは、典型的には、既知の方法で処理され、チャネル応答を推定するために受信機システムにおいて使用できる既知のデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ１８３０によって実行される命令によって決定される。データメモリ１８３２は、デバイス１８１０のプロセッサ１８３０または他のコンポーネントによって使用されるプログラムコード、データ、および他の情報を記憶する。
【０１０６】
次いで、すべてのデータストリームの変調シンボルがＴＸ  ＭＩＭＯプロセッサ１８２０に供給され、ＴＸ  ＭＩＭＯプロセッサ１８２０はさらに（たとえば、ＯＦＤＭの場合）その変調シンボルを処理する。次いで、ＴＸ  ＭＩＭＯプロセッサ１８２０は、ＮT個の変調シンボルストリームをＮT個のトランシーバ（ＸＣＶＲ）１８２２Ａ〜１８２２Ｔに供給する。いくつかの態様では、ＴＸ  ＭＩＭＯプロセッサ１８２０は、データストリームのシンボルと、シンボルが送信されているアンテナとにビームフォーミング重みを付加する。
【０１０７】
各トランシーバ１８２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次いで、トランシーバ１８２２Ａ〜１８２２ＴからのＮT個の変調信号は、それぞれ、ＮT個のアンテナ１８２４Ａ〜１８２４Ｔから送信される。
【０１０８】
デバイス１８５０では、送信された変調信号はＮR個のアンテナ１８５２Ａ〜１８５２Ｒによって受信され、各アンテナ１８５２からの受信信号は、それぞれのトランシーバ（ＸＣＶＲ）１８５４Ａ〜１８５４Ｒに供給される。各トランシーバ１８５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給する。
【０１０９】
次いで、受信（ＲＸ）データプロセッサ１８６０は、特定の受信機処理技法に基づいてＮR個のトランシーバ１８５４からＮR個の受信シンボルストリームを受信し、処理して、ＮT個の「検出」シンボルストリームを供給する。次いで、ＲＸデータプロセッサ１８６０は、各検出シンボルストリームを復調し、デインターリーブし、復号して、データストリームに対するトラフィックデータを復元する。ＲＸデータプロセッサ１８６０による処理は、デバイス１８１０におけるＴＸ  ＭＩＭＯプロセッサ１８２０およびＴＸデータプロセッサ１８１４によって実行される処理を補足するものである。
【０１１０】
プロセッサ１８７０は、どのプリコーディング行列を使用すべきかを周期的に判断する（後述）。プロセッサ１８７０は、行列インデックス部とランク値部とを備える逆方向リンクメッセージを作成する。データメモリ１８７２は、デバイス１８５０のプロセッサ１８７０または他のコンポーネントによって使用されるプログラムコード、データ、および他の情報を記憶する。
【０１１１】
逆方向リンクメッセージは、通信リンクおよび／または受信データストリームに関する様々なタイプの情報を備えることができる。次いで、逆方向リンクメッセージは、データソース１８３６からいくつかのデータストリームのトラフィックデータをも受信するＴＸデータプロセッサ１８３８によって処理され、変調器１８８０によって変調され、トランシーバ１８５４Ａ〜１８５４Ｒによって調整され、デバイス１８１０に戻される。
【０１１２】
デバイス１８１０において、デバイス１８５０からの変調信号は、アンテナ１８２４によって受信され、トランシーバ１８２２によって調整され、復調器（ＤＥＭＯＤ）１８４０によって復調され、ＲＸデータプロセッサ１８４２によって処理されて、デバイス１８５０によって送信された逆方向リンクメッセージが抽出される。次いで、プロセッサ１８３０は、ビームフォーミング重みを決定するためにどのプリコーディング行列を使用すべきかを判断し、次いで、抽出されたメッセージを処理する。
【０１１３】
図１８はまた、通信コンポーネントが、本明細書で教示するビーコン関連動作を実行する１つまたは複数のコンポーネントを含むことができることを示す。たとえば、ビーコン制御コンポーネント１８９０は、本明細書で教示するように、デバイス１８１０のプロセッサ１８３０および／または他のコンポーネントと協働して、ビーコン信号を別のデバイス（たとえば、デバイス１８５０）に送信し、別のデバイス（たとえば、別のアクセスポイント）からビーコン信号を受信することができる。同様に、ビーコン制御コンポーネント１８９２は、デバイス１８５０のプロセッサ１８７０および／または他のコンポーネントと協働して、別のデバイス（たとえば、デバイス１８１０）からビーコン信号を受信することができる。各デバイス１８１０および１８５０について、記載のコンポーネントの２つ以上の機能が単一のコンポーネントによって提供できることを諒解されたい。たとえば、単一の処理コンポーネントがビーコン制御コンポーネント１８９０およびプロセッサ１８３０の機能を提供し、また、単一の処理コンポーネントがビーコン制御コンポーネント１８９２およびプロセッサ１８７０の機能を提供することができる。
【０１１４】
本明細書の教示は、様々なタイプの通信システムおよび／またはシステムコンポーネントに組み込むことができる。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用できる。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用できる。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計できる。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装することができる。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装できる。ＬＴＥは、Ｅ−ＵＴＲＡを使用するＵＭＴＳのリリースである。本開示のいくつかの態様については、３ＧＰＰ用語を使用して説明するが、本明細書の教示は、３ＧＰＰ（Ｒｅｌ９９、Ｒｅｌ５、Ｒｅｌ６、Ｒｅｌ７）技術、ならびに３ＧＰＰ２（ＩｘＲＴＴ、１ｘＥＶ−ＤＯ  ＲｅｌＯ、ＲｅｖＡ、ＲｅｖＢ）技術および他の技術に適用できることを理解されたい。
【０１１５】
本明細書の教示は、様々な装置（たとえば、ノード）に組み込む（たとえば、装置内に実装する、または装置によって実行する）ことができる。いくつかの態様では、本明細書の教示に従って実装されるノード（たとえば、ワイヤレスノード）はアクセスポイントまたはアクセス端末を備えることができる。
【０１１６】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られる。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、またはワイヤレス媒体を介して通信するように構成された他の好適なデバイスに組み込むことができる。
【０１１７】
アクセスポイントは、ＮｏｄｅＢ、ｅＮｏｄｅＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、Ｈｏｍｅ  ｅＮＢ（ＨｅＮＢ）、フェムトセル、フェムトノード、ピコノード、または何らかの他の同様の用語を備えるか、それらのいずれかとして実装されるか、あるいはそれらのいずれかとして知られる。
【０１１８】
いくつかの態様では、ノード（たとえば、アクセスポイント）は、通信システムのためのアクセスノードを備えることができる。そのようなアクセスノードは、たとえば、ネットワークへのワイヤードまたはワイヤレス通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、一方または両方のノードはポータブルでも、場合によっては比較的非ポータブルでもよいことを諒解されたい。
【０１１９】
また、ワイヤレスノードは、非ワイヤレス方式で（たとえば、ワイヤード接続を介して）情報を送信および／または受信することができることを諒解されたい。したがって、本明細書で説明する受信機および送信機は、非ワイヤレス媒体を介して通信するために適切な通信インターフェースコンポーネント（たとえば、電気的または光学的インターフェースコンポーネント）を含むことができる。
【０１２０】
ワイヤレスノードは、好適なワイヤレス通信技術に基づくあるいはサポートする１つまたは複数のワイヤレス通信リンクを介して通信することができる。たとえば、いくつかの態様では、ワイヤレスノードはネットワークに関連付けることができる。いくつかの態様では、ネットワークはローカルエリアネットワークまたはワイドエリアネットワークを備えることができる。ワイヤレスデバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートあるいは使用することができる。同様に、ワイヤレスノードは、様々な対応する変調方式または多重化方式のうちの１つまたは複数をサポートあるいは使用することができる。したがって、ワイヤレスノードは、上記または他のワイヤレス通信技術を使用して１つまたは複数のワイヤレス通信リンクを確立し、それを介して通信するために適切なコンポーネント（たとえば、エアインターフェース）を含むことができる。たとえば、ワイヤレスノードは、ワイヤレス媒体上の通信を可能にする様々なコンポーネント（たとえば、信号生成器および信号プロセッサ）を含むことができる関連する送信機コンポーネントおよび受信機コンポーネントをもつワイヤレストランシーバを備えることができる。
【０１２１】
（たとえば、添付の図の１つまたは複数に関して）本明細書で説明した機能は、いくつかの態様では、添付の特許請求の範囲において同様に指定された「手段」機能に対応することがある。図１９を参照すると、装置１９００は一連の相互に関係する機能モジュールとして表される。ここで、電力レベル判断モジュール１９０２は、少なくともいくつかの態様では、たとえば、本明細書で説明するビーコンコントローラに対応することがある。時間期間判断モジュール１９０４は、少なくともいくつかの態様では、たとえば、本明細書で説明するビーコンコントローラに対応することがある。送信モジュール１９０６は、少なくともいくつかの態様では、たとえば、本明細書で説明する送信機に対応することがある。キャリア周波数判断モジュール１９０８は、少なくともいくつかの態様では、たとえば、本明細書で説明するビーコンコントローラに対応することがある。信号強度判断モジュール１９１０は、少なくともいくつかの態様では、たとえば、本明細書で説明するビーコンコントローラに対応することがある。
【０１２２】
図１９のモジュールの機能は、本明細書の教示に一致する様々な方法で実装できる。いくつかの態様では、これらのモジュールの機能は、１つまたは複数の電気コンポーネントとして実装できる。いくつかの態様では、これらのブロックの機能は、１つまたは複数のプロセッサコンポーネントを含む処理システムとして実装できる。いくつかの態様では、これらのモジュールの機能は、たとえば、１つまたは複数の集積回路（たとえば、ＡＳＩＣ）の少なくとも一部を使用して実装できる。本明細書で説明するように、集積回路は、プロセッサ、ソフトウェア、他の関連したコンポーネント、またはそれらの何らかの組合せを含むことができる。これらのモジュールの機能は、本明細書で教示する方法とは別の何らかの方法で実装することもできる。いくつかの態様では、図１９中の１つまたは複数の破線ブロックはオプションである。
【０１２３】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが使用できること、または第１の要素が何らかの方法で第２の要素に先行しなければならないことを意味するものではない。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１２４】
情報および信号は多種多様な技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１２５】
さらに、本明細書で開示した態様に関して説明した様々な例示的な論理ブロック、モジュール、プロセッサ、手段、回路、およびアルゴリズムステップのいずれかは、電子ハードウェア（たとえば、情報源符号化または何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装することができるが、そのような実装の決定は、本開示の範囲からの逸脱を生じるものと解釈すべきではない。
【０１２６】
本明細書で開示した態様に関して説明した様々な例示的な論理ブロック、モジュール、および回路は、集積回路（ＩＣ）、アクセス端末、またはアクセスポイント内に実装できるか、またはそれらによって実行できる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、電気コンポーネント、光学コンポーネント、機械コンポーネント、あるいは本明細書に記載の機能を実行するように設計されたそれらの任意の組合せを備えることができ、ＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１２７】
開示したプロセス中のステップの特定の順序または階層は例示的な手法の一例であることを理解されたい。設計上の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１２８】
１つまたは複数の例示的な実施形態では、説明した機能はハードウェア、ソフトウェア、ファームウェア、またはそれらの任意の組合せで実装できる。ソフトウェアで実装した場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とすることができる。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを担持または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装できることを諒解されたい。
【０１２９】
開示した態様の前述の説明は、当業者が本開示を実施または使用できるようにするために提供されるものである。これらの態様への様々な変更は当業者には容易に明らかになり、本明細書で定義された包括的な原理は本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
以下に本件出願当初の特許請求の範囲に記載された発明を付記する。
［Ｃ１］
アクセスポイントから通信ビーコン信号を送信するための様々な電力レベルのセットを判断することと、
前記通信ビーコン信号を送信するための様々な時間期間のセットを判断することと、
前記様々な時間期間中に前記様々な電力レベルで前記通信ビーコン信号を送信することと、
を備える、通信ビーコンを生成する方法。
［Ｃ２］
前記通信ビーコン信号を送信するためのキャリア周波数のセットを判断することと、
前記様々な時間期間中に前記様々な電力レベルで前記キャリア周波数のセットのうちの様々なキャリア周波数上で前記通信ビーコン信号を送信することと、
をさらに備える、［Ｃ１］に記載の方法。
［Ｃ３］
前記電力レベルのセットのうちの様々な電力レベルが前記キャリア周波数のセットのうちの様々なキャリア周波数に割り当てられる、
［Ｃ２］に記載の方法。
［Ｃ４］
前記様々なキャリア周波数上の他のアクセスポイントに関連する信号強度の様々なレベルを判断することをさらに備え、前記様々な電力レベルの前記判断は、判断された信号強度の前記様々なレベルに基づいて前記電力レベルを定義することを備える、
［Ｃ３］に記載の方法。
［Ｃ５］
前記時間期間のセットのうちの様々な時間期間は、前記キャリア周波数のセットのうちの様々なキャリア周波数に割り当てられる、
［Ｃ３］に記載の方法。
［Ｃ６］
前記様々な電力レベルと前記様々な時間期間の前記判断は、マクロアクセスポイントキャリア周波数上の少なくとも１つの判断された許容できる干渉レベルと、前記アクセスポイントによる送信のための少なくとも１つの判断された許容できるカバレージエリアとに基づいて、前記様々な電力レベルと前記様々な時間期間とを定義することを備える、
［Ｃ１］に記載の方法。
［Ｃ７］
前記様々な電力レベルの前記判断は、前記アクセスポイントからのパスロスの所定のセットにおけるビーコンの確実な復号に基づいて前記様々な電力レベルを定義することを備える、
［Ｃ１］に記載の方法。
［Ｃ８］
前記電力レベルのうちの第１の電力レベルは、前記電力レベルのうちの第２の電力レベルよりも大きくなるように定義され、
前記第１の電力レベルに関連する前記時間期間のうちの第１の時間期間は、前記第２の電力レベルに関連する前記時間期間のうちの第２の時間期間よりも短くなるように定義される、
［Ｃ１］に記載の方法。
［Ｃ９］
前記アクセスポイントがフェムトアクセスポイントを備える、
［Ｃ１］に記載の方法。
［Ｃ１０］
前記通信ビーコン信号の前記送信は、前記アクセスポイント上にアクティブな呼がないと判断したときに、前記アクセスポイントに関連するフェムトチャネル上で前記様々な電力レベルでビーコンを送信すること備える、
［Ｃ１］に記載の方法。
［Ｃ１１］
前記通信ビーコン信号の前記送信は、前記アクセスポイント上にアクティブな呼がないと判断したときに、前記アクセスポイントに関連するフェムトチャネル上および少なくとも１つの他のチャネル上で周波数ホッピング方法でビーコンを送信すること備える、
［Ｃ１］に記載の方法。
［Ｃ１２］
少なくとも１つのアクセス端末の少なくとも１つの既知の起動時間に同期された前記通信ビーコン信号の前記送信をスケジュールすることをさらに備える、
［Ｃ１］に記載の方法。
［Ｃ１３］
別のアクセスポイントの通信送信時間およびキャリア周波数を判断することと、
前記判断された通信送信時間およびキャリア周波数との競合を緩和するために前記通信ビーコン信号の前記送信をスケジュールすることと、
をさらに備える、［Ｃ１］に記載の方法。
［Ｃ１４］
別のアクセスポイントの送信に対する干渉を緩和するために、様々な周波数上で様々な時間に前記通信ビーコン信号の前記送信をランダムにスケジュールすることをさらに備える、
［Ｃ１］に記載の方法。
［Ｃ１５］
前記通信ビーコン信号は、少なくとも１つの共通オーバーヘッドチャネルを備える、
［Ｃ１］に記載の方法。
［Ｃ１６］
前記通信ビーコン信号は、パイロットチャネル、ページングチャネル、ブロードキャストチャネル、および同期チャネルからなるグループのうちの少なくとも１つを備える、
［Ｃ１］に記載の方法。
［Ｃ１７］
アクセスポイントから通信ビーコン信号を送信するための様々な電力レベルのセットを判断するように構成され、前記通信ビーコン信号を送信するための様々な時間期間のセットを判断するようにさらに構成されたビーコンコントローラと、
前記様々な時間期間中に前記様々な電力レベルで前記通信ビーコン信号を送信するように構成された送信機と、
を備える、通信ビーコンを生成するための装置。
［Ｃ１８］
前記ビーコンコントローラは、前記通信ビーコン信号を送信するためのキャリア周波数のセットを判断するようにさらに構成され、
前記送信機は、前記様々な時間期間中に前記様々な電力レベルで前記キャリア周波数のセットのうちの様々なキャリア周波数上で前記通信ビーコン信号を送信するようにさらに構成された、
［Ｃ１７］に記載の装置。
［Ｃ１９］
前記電力レベルのセットのうちの様々な電力レベルが前記キャリア周波数のセットのうちの様々なキャリア周波数に割り当てられる、
［Ｃ１８］に記載の装置。
［Ｃ２０］
前記様々なキャリア周波数上の他のアクセスポイントに関連する信号強度の様々なレベルを判断するように構成されたモニタをさらに備え、前記様々な電力レベルの前記判断は、判断された信号強度の前記様々なレベルに基づいて前記電力レベルを定義することを備える、
［Ｃ１９］に記載の装置。
［Ｃ２１］
時間期間の前記セットのうちの様々な時間期間がキャリア周波数の前記セットのうちの様々なキャリア周波数に割り当てられる、［Ｃ１９］に記載の装置。
［Ｃ２２］
前記様々な電力レベルと前記様々な時間期間の前記判断は、マクロアクセスポイントキャリア周波数上の少なくとも１つの判断された許容できる干渉レベルと、前記アクセスポイントによる送信のための少なくとも１つの判断された許容できるカバレージエリアとに基づいて、前記様々な電力レベルと前記様々な時間期間とを定義することを備える、
［Ｃ１７］に記載の装置。
［Ｃ２３］
前記様々な電力レベルの前記判断は、前記アクセスポイントからのパスロスの所定のセットにおけるビーコンの確実な復号に基づいて前記様々な電力レベルを定義することを備える、
［Ｃ１７］に記載の装置。
［Ｃ２４］
前記通信ビーコン信号の前記送信は、前記アクセスポイント上にアクティブな呼がないと判断したときに、前記アクセスポイントに関連するフェムトチャネル上および少なくとも１つの他のチャネル上で周波数ホッピング方法でビーコンを送信すること備える、
［Ｃ１７］に記載の装置。
［Ｃ２５］
前記通信ビーコン信号は、少なくとも１つの共通オーバーヘッドチャネルを備える、
［Ｃ１７］に記載の装置。
［Ｃ２６］
前記通信ビーコン信号は、パイロットチャネル、ページングチャネル、ブロードキャストチャネル、および同期チャネルからなるグループのうちの少なくとも１つを備える、
［Ｃ１７］に記載の装置。
［Ｃ２７］
アクセスポイントから通信ビーコン信号を送信するための様々な電力レベルのセットを判断するための手段と、
前記通信ビーコン信号を送信するための様々な時間期間のセットを判断するための手段と、
前記様々な時間期間中に前記様々な電力レベルで前記通信ビーコン信号を送信するための手段と、
を備える、通信ビーコンを生成するための装置。
［Ｃ２８］
前記通信ビーコン信号を送信するためのキャリア周波数のセットを判断するための手段をさらに備え、前記送信するための手段は、前記様々な時間期間中に前記様々な電力レベルで前記キャリア周波数のセットのうちの様々なキャリア周波数上で前記通信ビーコン信号を送信するように構成された、
［Ｃ２７］に記載の装置。
［Ｃ２９］
前記電力レベルのセットのうちの様々な電力レベルは、前記キャリア周波数のセットのうちの様々なキャリア周波数に割り当てられる、
［Ｃ２８］に記載の装置。
［Ｃ３０］
前記様々なキャリア周波数上の他のアクセスポイントに関連する信号強度の様々なレベルを判断するための手段をさらに備え、前記様々な電力レベルの前記判断が、判断された信号強度の前記様々なレベルに基づいて前記電力レベルを定義することを備える、
［Ｃ２９］に記載の装置。
［Ｃ３１］
前記時間期間のセットのうちの様々な時間期間は、前記キャリア周波数のセットのうちの様々なキャリア周波数に割り当てられる、
［Ｃ２９］に記載の装置。
［Ｃ３２］
前記様々な電力レベルと前記様々な時間期間との前記判断は、マクロアクセスポイントキャリア周波数上の少なくとも１つの判断された許容できる干渉レベルと、前記アクセスポイントによる送信のための少なくとも１つの判断された許容できるカバレージエリアとに基づいて、前記様々な電力レベルと前記様々な時間期間とを定義することを備える、
［Ｃ２７］に記載の装置。
［Ｃ３３］
前記様々な電力レベルの前記判断は、前記アクセスポイントからのパスロスの所定のセットにおけるビーコンの確実な復号に基づいて前記様々な電力レベルを定義することを備える、
［Ｃ２７］に記載の装置。
［Ｃ３４］
前記通信ビーコン信号の前記送信は、前記アクセスポイント上にアクティブな呼がないと判断したときに、前記アクセスポイントに関連するフェムトチャネル上および少なくとも１つの他のチャネル上で周波数ホッピング方法でビーコンを送信すること備える、
［Ｃ２７］に記載の装置。
［Ｃ３５］
前記通信ビーコン信号は、少なくとも１つの共通オーバーヘッドチャネルを備える、
［Ｃ２７］に記載の装置。
［Ｃ３６］
前記通信ビーコン信号は、パイロットチャネル、ページングチャネル、ブロードキャストチャネル、および同期チャネルからなるグループのうちの少なくとも１つを備える、
［Ｃ２７］に記載の装置。
［Ｃ３７］
アクセスポイントから通信ビーコン信号を送信するための様々な電力レベルのセットを判断することと、
前記通信ビーコン信号を送信するための様々な時間期間のセットを判断することと、
前記様々な時間期間中に前記様々な電力レベルで前記通信ビーコン信号を送信することと、
をコンピュータに行わせるためのコードを備えるコンピュータ可読媒体を備えるコンピュータプログラム製品。
［Ｃ３８］
前記コンピュータ可読媒体は、前記コンピュータに、
前記通信ビーコン信号を送信するためのキャリア周波数のセットを判断することと、
前記様々な時間期間中に前記様々な電力レベルでキャリア周波数の前記セットのうちの様々なキャリア周波数上で前記通信ビーコン信号を送信することと、
を行わせる、［Ｃ３７］に記載のコンピュータプログラム製品。
［Ｃ３９］
電力レベルの前記セットのうちの様々な電力レベルは、キャリア周波数の前記セットのうちの様々なキャリア周波数に割り当てられる、
［Ｃ３８］に記載のコンピュータプログラム製品。
［Ｃ４０］
前記コンピュータ可読媒体は、前記コンピュータに、前記様々なキャリア周波数上の他のアクセスポイントに関連する信号強度の様々なレベルを判断させるためのコードをさらに備え、
前記様々な電力レベルの前記判断は、前記判断された信号強度の様々なレベルに基づいて前記電力レベルを定義することを備える、
［Ｃ３９］に記載のコンピュータプログラム製品。
［Ｃ４１］
前記時間期間のセットのうちの様々な時間期間は、前記キャリア周波数のセットのうちの様々なキャリア周波数に割り当てられる、
［Ｃ３９］に記載のコンピュータプログラム製品。
［Ｃ４２］
前記様々な電力レベルと前記様々な時間期間の前記判断は、マクロアクセスポイントキャリア周波数上の少なくとも１つの判断された許容できる干渉レベルと、前記アクセスポイントによる送信のための少なくとも１つの判断された許容できるカバレージエリアとに基づいて、前記様々な電力レベルと前記様々な時間期間とを定義することを備える、
［Ｃ３７］に記載のコンピュータプログラム製品。
［Ｃ４３］
前記様々な電力レベルの前記判断は、前記アクセスポイントからのパスロスの所定のセットにおけるビーコンの確実な復号に基づいて前記様々な電力レベルを定義することを備える、
［Ｃ３７］に記載のコンピュータプログラム製品。
［Ｃ４４］
前記通信ビーコン信号の前記送信は、前記アクセスポイント上にアクティブな呼がないと判断したときに、前記アクセスポイントに関連するフェムトチャネル上および少なくとも１つの他のチャネル上で周波数ホッピング方法でビーコンを送信すること備える、
［Ｃ３７］に記載のコンピュータプログラム製品。
［Ｃ４５］
前記通信ビーコン信号は、少なくとも１つの共通オーバーヘッドチャネルを備える、
［Ｃ３７］に記載のコンピュータプログラム製品。
［Ｃ４６］
前記通信ビーコン信号は、パイロットチャネル、ページングチャネル、ブロードキャストチャネル、および同期チャネルからなるグループのうちの少なくとも１つを備える、
［Ｃ３７］に記載のコンピュータプログラム製品。
【図１】
0005290420.tif 000006
【図２】
0005290420.tif 000007
【図３】
0005290420.tif 000008
【図４】
0005290420.tif 000009
【図５】
0005290420.tif 000010
【図６】
0005290420.tif 000011
【図７】
0005290420.tif 000012
【図８】
0005290420.tif 000013
【図９Ａ】
0005290420.tif 000014
【図９Ｂ】
0005290420.tif 000015
【図１０】
0005290420.tif 000016
【図１１Ａ】
0005290420.tif 000017
【図１１Ｂ】
0005290420.tif 000018
【図１２】
0005290420.tif 000019
【図１３】
0005290420.tif 000020
【図１４】
0005290420.tif 000021
【図１５】
0005290420.tif 000022
【図１６】
0005290420.tif 000023
【図１７】
0005290420.tif 000024
【図１８】
0005290420.tif 000025
【図１９】
0005290420.tif 000026